(57)【要約】【課題】ドアからの入退出を個人レベルで管理できるドアロックシステムを提供する。【解決手段】ドアの施錠、開錠を行なうためのドアロック機構と、個人識別情報を記憶する記憶手段１２０と、ドアに設けられ、電子鍵と通信を行なうための通信部２１ｉｎ，２１ｅｘと、この通信部を通じて電子鍵と通信を行なうことにより、ドアロック機構によるドアの施錠、開錠を制御するドアロック制御部１００とを備える。また、ドアロック制御部１００での個人識別情報の比較結果に基づいたドアの施錠または開錠制御に基づいて、記憶手段１２０に記憶する個人識別情報に対応する個人のドアからの入退出を管理する管理制御手段を設ける。【選択図】　　　　図２
2004124686.tif 000002
【特許請求の範囲】
【請求項１】
ドアの施錠、開錠を行なうためのドアロック機構と、
前記ドアに設けられ、個人識別情報が記憶されている電子鍵と通信を行なうための通信手段と、
少なくとも１つの個人識別情報を記憶する記憶手段と、
前記通信部を通じて電子鍵から受信する前記個人識別情報と、前記記憶手段に記憶されている前記個人識別情報とを比較し、その比較結果に基づいてドアの施錠または開錠を制御するドアロック制御手段と、
前記ドアロック制御手段での前記個人識別情報の比較結果に基づいたドアの施錠または開錠制御に基づいて、前記記憶手段に記憶する前記個人識別情報に対応する個人の前記ドアからの入退出を管理する管理制御手段と、
を備えることを特徴とするドアロックシステム。
【請求項２】
請求項１に記載のドアロックシステムにおいて、
前記ドアの室内の戸締りを監視する戸締り監視手段と、
前記戸締り監視手段により室内の戸締りが完全でないときには、前記ドアロック制御手段による前記ドアの施錠の前に、戸締りが不完全であることを告知する告知手段と
を備えることを特徴とするドアロックシステム。
【請求項３】
請求項１に記載のドアロックシステムにおいて、
前記ドアの室内を監視する監視手段を備え、
前記管理制御手段は、前記個人の入退出に基づく在宅状況に応じて前記監視手段を制御する
ことを特徴とするドアロックシステム。
【請求項４】
請求項１に記載のドアロックシステムにおいて、
予め用意された複数通りのセキュリティレベルの中から選択された一つのセキュリティレベルで前記ドアの室内を監視する監視手段を備え、
前記管理制御手段は、前記在宅状況に応じて前記監視手段におけるセキュリティレベルを選択設定する
ことを特徴とするドアロックシステム。
【請求項５】
請求項１に記載のドアロックシステムにおいて、
予め用意された複数通りのセキュリティレベルの中から選択された一つのセキュリティレベルで前記ドアの室内を監視する監視手段を備え、
前記管理制御手段は、前記個人の入退出に基づく前記在宅状況の変化により、前記監視手段におけるセキュリティレベルの変更制御をする
ことを特徴とするドアロックシステム。
【請求項６】
請求項５に記載のドアロックシステムにおいて、
前記監視手段におけるセキュリティレベルが変更されたときに、当該変更を告知する手段を設けた
ことを特徴とするドアロックシステム。
【請求項７】
ドアの施錠、開錠を行なうためのドアロック機構と、
前記ドアに設けられ、個人識別情報が記憶されている電子鍵と通信を行なうための通信手段と、
少なくとも１つの個人識別情報を記憶する記憶手段と、
前記通信部を通じて電子鍵から受信する前記個人識別情報と、前記記憶手段に記憶されている前記個人識別情報とを比較し、その比較結果に基づいてドアの施錠または開錠を制御するドアロック制御手段と、
前記ドアの室内を監視する監視手段と、
前記通信手段と前記電子鍵との通信に基づいて、前記監視手段により監視を開始させる要求を発生する監視開始要求手段と、
を備えるドアロックシステム。
【請求項８】
請求項７に記載のドアロックシステムにおいて、
前記監視開始要求発生手段は、前記ドアロック制御手段により前記ドアが施錠された後、所定時間以内に前記通信手段と前記電子鍵とで通信が行なわれることに基づいて、前記監視手段により監視を開始させる要求を発生する
ことを特徴とするドアロックシステム。
【請求項９】
請求項７に記載のドアロックシステムにおいて、
前記ドアの室内の戸締りを監視する戸締り監視手段と、
前記戸締り監視手段により室内の戸締りが完全でないときには、前記ドアロック制御手段による前記ドアの施錠の前に、戸締りが不完全であることを告知する告知手段と
を備えることを特徴とするドアロックシステム。
【請求項１０】
請求項７に記載のドアロックシステムにおいて、
前記監視手段は、予め用意された複数通りのセキュリティレベルの中から選択された一つのセキュリティレベルで前記ドアの室内を監視するものであり、
前記ドアロック制御手段での前記個人識別情報の比較結果に基づいたドアの施錠または開錠制御に基づいて、前記記憶手段に記憶する前記個人識別情報に対応する個人の前記ドアからの入退出を管理して、在宅状況を把握する在宅状況把握手段と、
前記監視開始要求手段から前記監視の開始要求があったときに、前記在宅状況把握手段で把握されている在宅状況に応じて、前記監視手段でのセキュリティレベルを制御するセキュリティレベル設定手段と、
を備えることを特徴とするドアロックシステム。
【請求項１１】
請求項１０に記載のドアロックシステムにおいて、
前記ドアからの入退出により在宅状況が変化したときに、前記在宅状況把握手段で把握される在宅状況の変化に応じて、前記監視手段でのセキュリティレベルを変更制御する手段を備える
ことを特徴とするドアロックシステム。
【請求項１２】
請求項１〜請求項１１に記載のドアロックシステムにおいて、
前記電子鍵と前記通信手段との通信は、非接触である
ことを特徴とするドアロックシステム。
【請求項１３】
請求項７に記載のドアロックシステムにおいて、
前記監視手段により異常を検知したときに、当該異常検知を、予め設定されている連絡先に通信ネットワークを通じて連絡するようにする異常連絡通知手段を備える
ことを特徴とするドアロックシステム。
【請求項１４】
請求項１３に記載のドアロックシステムにおいて、
前記異常連絡通知手段による前記連絡先への連絡の際には、電話網を通じた音声による連絡と、電子メールによる連絡の双方を実行する
ことを特徴とするドアロックシステム。
【請求項１５】
請求項１４に記載のドアロックシステムにおいて、
前記監視手段は監視カメラを含み、前記電子メールには、前記監視カメラによる撮影画像情報を添付する
ことを特徴とするドアロックシステム。
【請求項１６】
ドアに設けられた通信手段により、個人識別情報が記憶されている電子鍵と通信が行なわれたことを検知する通信検知工程と、
前記通信検知工程で検知された通信に基づいて、前記電子鍵から前記個人識別情報を受信する個人識別情報受信工程と、
前記個人識別情報受信工程で受信した前記個人識別情報と、予め記憶部に記憶されている個人識別情報とを比較して、その比較結果に基づいてドアの施錠または開錠を制御するドアロック制御工程と、
前記ドアロック制御工程での前記個人識別情報の比較結果に基づいたドアの施錠または開錠制御に基づいて、前記記憶部に記憶されている前記個人識別情報に対応する個人の前記ドアからの入退出を管理する管理工程と、
を備えることを特徴とするドアロック管理方法。
【請求項１７】
請求項１６に記載のドアロック管理方法において、
前記管理工程では、前記個人の入退出に基づく在宅状況に応じて、前記ドアの室内を監視する監視手段を制御する
ことを特徴とするドアロック管理方法。
【請求項１８】
請求項１６に記載のドアロック管理方法において、
前記管理工程では、前記個人の入退出に基づく在宅状況に応じて、前記ドアの室内を監視する監視手段でのセキュリティレベルを制御する
ことを特徴とするドアロック管理方法。
【請求項１９】
ドアに設けられた通信手段により、個人識別情報が記憶されている電子鍵と通信が行なわれたことを検知する通信検知工程と、
前記通信検知工程で検知された通信に基づいて、前記電子鍵から前記個人識別情報を受信する個人識別情報受信工程と、
前記個人識別情報受信工程で受信した前記個人識別情報と、予め記憶部に記憶されている個人識別情報とを比較して、その比較結果に基づいてドアの施錠または開錠を制御するドアロック制御工程と、
前記通信検知工程で検知された通信が、予め定められた特定の条件の下における通信であったときに、前記ドアの室内を監視する監視手段により監視を開始させる要求を発生する監視開始要求工程と、
を備えることを特徴とするドアロック管理方法。
【請求項２０】
請求項１９に記載のドアロック管理方法において、
前記監視開始要求発生工程では、前記ドアが施錠された後、所定時間以内に前記通信手段と電子鍵とで通信が行なわれることに基づいて、前記監視手段により監視を開始させる要求を発生する
ことを特徴とするドアロック管理方法。
【請求項２１】
請求項１９に記載のドアロック管理方法において、
前記監視手段は、予め用意された複数通りのセキュリティレベルの中から選択された一つのセキュリティレベルで前記ドアの室内を監視するものであり、
前記ドアロック制御工程での前記個人識別情報の比較結果に基づいたドアの施錠または開錠制御に基づいて、前記記憶部に記憶されている前記個人識別情報に対応する個人の前記ドアからの入退出を管理して、在宅状況を把握する在宅状況把握する管理工程と、
前記監視開始要求工程で前記監視の開始要求が発生したときに、前記在宅状況把握工程で把握されている在宅状況に応じて、前記監視手段でのセキュリティレベルを制御するセキュリティレベル設定工程と、
を備えることを特徴とするドアロック管理方法。
【請求項２２】
請求項２１に記載のドアロック管理方法において、
前記ドアからの入退出により在宅状況が変化したときに、前記在宅状況把握工程で把握される在宅状況の変化に応じて、前記監視手段でのセキュリティレベルを変更制御する工程を備える
ことを特徴とするドアロック管理方法。
【請求項２３】
請求項１６〜請求項２２に記載のドアロック管理方法において、
前記電子鍵と前記ドアに設けられる前記通信手段との通信は、非接触である
ことを特徴とするドアロック管理方法。
【発明の詳細な説明】
【０００１】
【発明の属する技術分野】
この発明は、電子鍵を用いてドアの施錠、開錠を制御するようにするドアロックシステムおよびドアロック管理方法に関する。
【０００２】
【従来の技術】
従来の物理的な鍵を鍵シリンダーに差し込んで施錠、開錠を行なうドアロックシステムにおいては、鍵を紛失した場合には、ドアロック機構の鍵シリンダーを当該鍵以外の鍵を用いるものに交換しない限り、開錠されてしまうおそれがつきまとう。
【０００３】
この点、電子鍵を用いたドアロックシステムを用いれば、例えば電子鍵として登録した番号を変更することにより、鍵シリンダーを交換したのと同様の作用効果が得られるので、このような問題点を改善することができる。
【０００４】
そして、この電子鍵を用いたドアロックシステムによれば、容易にオートロック機構を採用することができるので、玄関ドアやホテルのドアのロック機構として、警備の点で非常に優れたものとなる。
【０００５】
【発明が解決しようとする課題】
しかしながら、従来の鍵によるドア開錠・施錠を行なうドアロックシステムにおいては、施錠者や開錠者を特定することができなかったために、室内の在宅者の状況を把握することができなかった。
【０００６】
このため、室内のセキュリティ機能と連携させることが困難であり、従来、セキュリティモードをオンにしようとする場合は、室内において、セキュリティモードをオン設定にした後、所定時間内に玄関ドアから全ての家人が家の外に出るようにしている。これは、従来のセキュリティモードは、セキュリティモードを開始設定した後、前記所定時間経過後に、開始となるためで、所定時間以内に家の外に出ないと、家人を侵入者として誤動作してしまうことになるからある。
【０００７】
したがって、セキュリティモードを開始設定した後には、急いで家の外に出なければならず、非常に不便であった。また、子供や老人のみが在宅している場合と、父親や母親も在宅している場合とで、セキュリティモードを異ならせたいという要求もあるが、従来は、この要求に答えることが非常に困難であった。
【０００８】
この発明は、以上の問題点を解決することができるドアロックシステムを提供することを目的とする。
【０００９】
【課題を解決するための手段】
上記課題を解決するために、請求項１の発明によるドアロックシステムは、
ドアの施錠、開錠を行なうためのドアロック機構と、
前記ドアに設けられ、個人識別情報が記憶されている電子鍵と通信を行なうための通信手段と、
少なくとも１つの個人識別情報を記憶する記憶手段と、
前記通信部を通じて電子鍵から受信する前記個人識別情報と、前記記憶手段に記憶されている前記個人識別情報とを比較し、その比較結果に基づいてドアの施錠または開錠を制御するドアロック制御手段と、
前記ドアロック制御手段での前記個人識別情報の比較結果に基づいたドアの施錠または開錠制御に基づいて、前記記憶手段に記憶する前記個人識別情報に対応する個人の前記ドアからの入退出を管理する管理制御手段と、
を備えることを特徴とする。
【００１０】
この請求項１の発明によれば、管理制御手段において、個人識別情報により、個人レベルで、ドアからの入退出を管理することができる。
【００１１】
また、請求項３の発明のドアロックシステムは、
請求項１に記載のドアロックシステムにおいて、
前記ドアの室内を監視する監視手段を備え、
前記管理制御手段は、前記個人の入退出に基づく在宅状況に応じて前記監視手段を制御する
ことを特徴とする。
【００１２】
この請求項３の発明によれば、個人の入退出に基づく在宅状況に応じて監視手段による監視状態を制御することが可能となる。
【００１３】
また、請求項４の発明は、請求項１に記載のドアロックシステムにおいて、
予め用意された複数通りのセキュリティレベルの中から選択された一つのセキュリティレベルで前記ドアの室内を監視する監視手段を備え、
前記管理制御手段は、前記在宅状況に応じて前記監視手段におけるセキュリティレベルを選択設定する
ことを特徴とする。
【００１４】
この請求項４の発明によれば、予め在宅状況に応じた複数通りのセキュリティレベルを予め用意しておき、個人の入退出に基づく在宅状況に応じて、その複数通りのセキュリティレベルの中から適切なセキュリティレベルを選択制御することが可能となる。
【００１５】
また、請求項７の発明によるドアロックシステムは、
ドアの施錠、開錠を行なうためのドアロック機構と、
前記ドアに設けられ、個人識別情報が記憶されている電子鍵と通信を行なうための通信手段と、
少なくとも１つの個人識別情報を記憶する記憶手段と、
前記通信部を通じて電子鍵から受信する前記個人識別情報と、前記記憶手段に記憶されている前記個人識別情報とを比較し、その比較結果に基づいてドアの施錠または開錠を制御するドアロック制御手段と、
前記ドアの室内を監視する監視手段と、
前記通信手段と前記電子鍵との通信に基づいて、前記監視手段により監視を開始させる要求を発生する監視開始要求手段と、
を備えることを特徴とする。
【００１６】
この請求項７の発明によれば、ユーザは、電子鍵を通信手段と通信させるようにすることにより、室内を監視する監視手段を起動させることできる。したがって、外出時に、例えば玄関ドアに設けられている通信手段と電子鍵を通信させることができるので、従来のように室内において監視手段を起動した後、所定時間後に玄関ドアから外にでなければならないということがなくなり、便利である。
【００１７】
また、請求項８の発明は、請求項７に記載のドアロックシステムにおいて、
前記監視開始要求発生手段は、前記ドアロック制御手段により前記ドアが施錠された後、所定時間以内に前記通信手段と前記電子鍵とで通信が行なわれることに基づいて、前記監視手段により監視を開始させる要求を発生する
ことを特徴とする。
【００１８】
この請求項８の発明によれば、通信手段と電子鍵とを通信させて、例えば玄関ドアを施錠した後、もう一度、通信手段と電子鍵とを通信させるという行為により、監視手段の起動をさせることができ、便利である。
【００１９】
また、請求項１０の発明は、請求項７に記載のドアロックシステムにおいて、
前記監視手段は、予め用意された複数通りのセキュリティレベルの中から選択された一つのセキュリティレベルで前記ドアの室内を監視するものであり、
前記ドアロック制御手段での前記個人識別情報の比較結果に基づいたドアの施錠または開錠制御に基づいて、前記記憶手段に記憶する前記個人識別情報に対応する個人の前記ドアからの入退出を管理して、在宅状況を把握する在宅状況把握手段と、
前記監視開始要求手段から前記監視の開始要求があったときに、前記在宅状況把握手段で把握されている在宅状況に応じて、前記監視手段でのセキュリティレベルを制御するセキュリティレベル設定手段と、
を備えることを特徴とする。
【００２０】
この請求項１０の発明によれば、在宅状況把握手段により、記憶手段に記憶する個人識別情報に対応する個人のドアからの入退出を管理して、そのときにおける在宅状況を確実に把握することができるので、監視手段は、その在宅状況に基づいたセキュリティレベルで、セキュリティ監視を行なうことが可能になる。
【００２１】
また、請求項１３の発明は、請求項７に記載のドアロックシステムにおいて、
前記監視手段により異常を検知したときに、当該異常検知を、予め設定されている連絡先に通信ネットワークを通じて連絡するようにする異常連絡通知手段を備える
ことを特徴とする。
【００２２】
この請求項１３の発明によれば、例えば連絡先を、外出中のユーザが携帯している携帯電話に設定しておくことにより、監視手段が異常を検知したときに、その異常検知連絡を、外出中のユーザが受けることができ、当該ユーザは、警察等に連絡するなど、適切な処置をすることができる。
【００２３】
また、請求項１４の発明は、請求項１３に記載のドアロックシステムにおいて、
前記異常連絡通知手段による前記連絡先への連絡の際には、電話網を通じた音声による連絡と、電子メールによる連絡の双方を実行する
ことを特徴とする。
【００２４】
この請求項１４の発明によれば、例えば電話の連絡先として携帯電話が設定されているときに、たまたま当該連絡先の携帯電話が電波を受信できない場所にあったり、携帯電話の電源が切れていたりして、電話連絡が行なわれなかったときにも、電子メールによる連絡が併せて行なわれるため、携帯電話で電波を受信できる場所に移動したり、携帯電話に電源が投入されたときには、電子メールによる連絡が行なわれるというメリットがある。
【００２５】
また、請求項１５の発明は、請求項１４に記載のドアロックシステムにおいて、
前記監視手段は監視カメラを含み、前記電子メールには、前記監視カメラによる撮影画像情報を添付する
ことを特徴とする。
【００２６】
この請求項１５の発明によれば、電子メールには、監視カメラで撮影された画像情報が添付されるので、その画像情報から、連絡の起因となった状況を把握することが可能である。したがって、誤報なのか、緊急性を有する連絡なのかを把握することが可能になる。
【００２７】
【発明の実施の形態】
以下、この発明によるドアロックシステムの実施形態を、図を参照しながら説明する。以下に説明する例は、家の玄関ドアに、実施形態のドアロックシステムを適用した場合である。
【００２８】
そして、この例では、家の中に対しては、窓や玄関ドアからの賊の侵入、火災の発生、ガス漏れを検知して、それぞれの異常事態に対応する措置を取るセキュリティ監視システムが設けられており、このセキュリティ監視システムと、実施形態のドアロックシステムとを、連動させて動作させるようにしている。
【００２９】
そして、電子鍵装置としては、種々の形態のものを使用可能であるが、この例では、制御用ＩＣ（Ｉｎｔｅｇｒａｔｅｄ　Ｃｉｒｃｕｉｔ）が埋め込まれたカード（以下、電子鍵カードという）が、電子鍵装置として用いられる。玄関ドアには、電子鍵カードによりドアの施錠、開錠を行なえるようにするためのドアロック装置が取り付けられる。この例では、電子鍵カードとドアロック装置との間では、鍵情報の通信を行ない、ドアロック装置は、その通信に基づいてドアの施錠、開錠を制御するようにする。
【００３０】
この例では、電子鍵カードとドアロック装置との間の通信は、例えば電磁誘導や電波などを用いた非接触による通信とされており、後述するように、ドアロック装置の一部を構成する電子鍵カードのリード／ライト部を介して、通信が行われる。この例では、後述するように、電子鍵カードとドアロック装置との通信は、電磁誘導によって行なわれるようにされている。
【００３１】
ドアの施錠、開錠を制御するための鍵情報としては、当該家に住む住人の全員に共通の一つとして、各人が、その共通鍵情報を格納する電子鍵カードをそれぞれ持つようにすることもできる。その場合には、ドアロック装置あるいは鍵情報による認証を行なう装置には、当該共通鍵情報を登録しておき、ドアロック装置は、通信により、電子鍵カードから、その共通鍵情報を受信して自装置で認証を行ない、あるいは、受信した共通鍵情報を認証を行なう装置に転送し、当該認証を行なう装置からの認証結果を受けて、ドアの施錠、あるいは開錠を制御するようにすることができる。
【００３２】
この例では、鍵情報としては、このような共通鍵情報を用いるのではなく、さらに進んで、当該家に住む住人個々の玄関ドアからの入退出を管理することができるようにするため、鍵情報としては、当該家に住む住人個々に一意に対応する個人識別子（以下個人ＩＤという）を用いるようにする。
【００３３】
このため、この例のドアロックシステムでは、当該家に住む住人の全員が、それぞれ、自分を識別する個人ＩＤが書き込まれたＩＣカードからなる電子鍵カードを所有する。一方、ドアロック装置あるいは認証を行なう装置には、予め、それら当該家に住む住人全員の個人ＩＤを登録しておく。そして、ドアロック装置は、通信により、電子鍵カードから、各個人ＩＤを受信して自装置で認証を行ない、あるいは、受信した個人ＩＤを認証を行なう装置に転送し、当該認証を行なう装置からの認証結果を受けて、ドアの施錠、あるいは開錠を制御するようにする。
【００３４】
このように個人ＩＤにより、当該家に住む住人それぞれの玄関ドアからの入退出の管理情報を、セキュリティシステムに反映させることにより、より高機能のセキュリティシステムを構築することができる。
【００３５】
［実施形態のドアロックシステムを含むセキュリティシステムの概要］
図１は、実施形態のドアロックシステムを含むセキュリティシステムの概要を説明するための図である。
【００３６】
家の玄関ドア１には、電子鍵カードと通信を行なうドアロック装置２が取り付けられている。室内には、セキュリティシステムを構成する監視制御装置３が設けられ、ドアロック装置２と接続されている。ドアロック装置２と監視制御装置３とは、この例では接続線により接続されるが、無線により接続するようにしてもよい。
【００３７】
監視制御装置３は、ドアロック装置２からの鍵情報を受け取って、前述した鍵情報の認証を行なう装置となることもできる。この例では、鍵情報の認証は、ドアロック装置２において行なうようにされている。
【００３８】
そして、この例では、室内には、火災発生を検知する火災センサ４と、ガス漏れを検知するガスセンサ５と、窓の戸締りを検知する窓センサ６ａ，６ｂと、テレビ受像機（モニター受像機）７が設けられ、それぞれ監視制御装置３に接続されている。監視制御装置３とそれらとの接続も、接続線により接続されているが、無線により接続してもよい。
【００３９】
また、図１では省略したが、火災センサ４で火災発生を検知したときに、その発生現場近傍を撮影できるような位置や、窓センサ６ａ，６ｂで賊の侵入を検知したときに、その賊を撮影できるような位置には、監視カメラを設けるようにすることができる。その場合には、それら監視カメラは監視制御装置３に接続され、監視カメラの撮影画像が監視制御装置３に供給されるようにされる。
【００４０】
監視制御装置３は、また、電話回線８を通じ、通信ネットワーク９を通じてセキュリティシステムの管理会社が運営する管理サーバ１０に接続される。この管理サーバ１０も、ドアロック装置２からの鍵情報を、監視制御装置３を介して受け取ることにより、鍵情報の認証を行なう装置となることもできる。
【００４１】
通信ネットワーク９は、携帯電話網をも含み、後述するように、監視制御装置３は、異常状態の発生時に、予め、当該監視制御装置３に連絡先としてその電話番号や電子メールアドレスが登録された携帯電話端末１１ａ，１１ｂに、当該異常状態の発生を知らせることが可能とされている。さらに、通信ネットワーク９は、インターネットを含み、パーソナルコンピュータ１２は、管理サーバ１０に対して当該インターネットを通じてアクセスすることが可能とされている。また、携帯電話端末１１ａ，１１ｂからも、管理サーバ１０にアクセスすることが可能とされている。
【００４２】
次に、ドアロック装置２の具体的構成例およびその動作、また、監視制御装置３の具体的構成例およびその動作について、詳細に説明する。なお、以下に説明する例では、鍵情報の認証は、ドアロック装置自身が行なうものとする。
【００４３】
［ドアロック装置の構成］
図２（Ａ）および図２（Ｂ）は、ドアロック装置２の構成例を説明するための図である。図２（Ａ）は、家の外側から玄関ドア１のドアロック装置２の取り付け部分近傍を見た図である。また、図２（Ｂ）は、玄関ドア１のドアロック装置２の取り付け部分近傍を、玄関ドア１の端面側から見た図である。
【００４４】
この例のドアロック装置２においては、玄関ドア１の外側（戸外側）には、電子鍵カードと通信を行なうための外側電子鍵リーダ／ライタ部２１ｅｘと、電子鍵カードの認証結果や玄関ドア１の施錠または開錠を視覚的に知らせるための表示素子の例としての外側ＬＥＤ（Ｌｉｇｈｔ　Ｅｍｉｔｔｉｎｇ　Ｄｉｏｄｅ；発光ダイオード）２２ｅｘと、電子鍵カードの認証結果や玄関ドア１の施錠または開錠を音声により知らせるための外側スピーカ２３ｅｘと、外側ドアノブ２４ｅｘとが設けられている。
【００４５】
また、玄関ドア１の内側（屋内側）にも、電子鍵カードと通信を行なうための内側電子鍵リーダ／ライタ部２１ｉｎと、電子鍵カードの認証結果や玄関ドア１の施錠または開錠を視覚的に知らせるための表示素子の例としての内側ＬＥＤ２２ｉｎと、電子鍵カードの認証結果や玄関ドア１の施錠または開錠を音声により知らせるための内側スピーカ２３ｉｎと、内側ドアノブ２４ｉｎとが設けられている。
【００４６】
玄関ドア１には、さらに、玄関ドア係止片２５と、ロック片２６と、ドア開閉センサ２７が設けられている。さらに、玄関ドア１の内側には、ドアロック装置２の動作を制御するためのドアロック制御装置１００が設けられており、電子鍵リーダ／ライタ部２１ｅｘおよび２１ｉｎ、ＬＥＤ２２ｅｘおよび２２ｉｎ、スピーカ２３ｅｘおよび２３ｉｎ、ドア開閉センサ２７および図示を省略したドアロック機構駆動部が、このドアロック制御装置１００に接続されている。
【００４７】
玄関ドア係止片２５は、ドアノブ２４ｅｘあるいはドアノブ２４ｉｎの操作に応じて、玄関ドアの端面１ａに垂直な方向に摺動移動する部材である。これは、後述するオートロックモードでない場合において、玄関ドア１が施錠されていないときにも、玄関ドア１の端面１ａと対向する壁の端面側に設けられる凹部に勘合して、玄関ドア１を、係止するためのものである。
【００４８】
ロック片２６は、ドアロック機構の一部を構成する部材であり、図２では図示を省略したドアロック機構駆動部によりドアロック機構が駆動されることにより、玄関ドアの端面１ａに垂直な方向に摺動移動して、玄関ドア１を施錠するときには、図２のように、玄関ドア１の端面１ａから突出する状態に固定され、玄関ドア１を開錠するときには、玄関ドア１の端面１ａから突出しない状態に固定される。
【００４９】
なお、図示は省略したが、玄関ドア１の端面１ａと対向する壁の端面には、このロック片２６が突出した状態のときに嵌合される凹部が形成されており、ロック片２６が当該凹部に嵌合される状態が玄関ドアの施錠状態となる。そして、ロック片２６が玄関ドア１側に引っ込んで、当該凹部に嵌合していないときには、施錠状態が解除されて、開錠状態になる。
【００５０】
玄関ドア開閉センサ２７は、例えば光学式センサが用いられ、玄関ドア１が開けられたときは外部光を検知することにより、それを検知し、玄関ドア１が閉じられたときには、玄関ドア１の端面１ａが、壁の端面と衝合することにより外部光が遮断されることを検知することにより、それを検知して、玄関ドア１の開閉を検知する。
【００５１】
［ドアロック制御装置１００の説明］
次に、ドアロック制御装置１００を中心にしたドアロック装置２の電気的な構成例を図３に示す。
【００５２】
すなわち、ドアロック制御装置１００は、マイクロコンピュータの構成を備えており、ＣＰＵ（Ｃｅｎｔｒａｌ　Ｐｒｏｃｅｓｓｉｎｇ　Ｕｎｉｔ）１０１に対してシステムバス１０２を介してプログラムやデータが記録されているＲＯＭ（Ｒｅａｄ　Ｏｎｌｙ　Ｍｅｍｏｒｙ）１０３と、ワークエリア用ＲＡＭ（Ｒａｎｄｏｍ　Ａｃｃｅｓｓ　Ｍｅｍｏｒｙ）１０４と、鍵情報となる個人ＩＤが記憶されている家族情報メモリ１２０と、監視制御装置３と通信を行なうための通信インターフェース１２１とが接続されている。
【００５３】
家族情報メモリ１２０には、予め玄関ドア１の開閉を行なう住人のそれぞれが所持する電子鍵カードに記憶されている個人ＩＤが、電子鍵情報として登録されて格納されている。また、各家族構成員（または住人）の年齢、性別、続き柄、その他の個人情報も、併せて家族情報メモリ１２０には、格納されている。後述する監視制御装置３の家族情報メモリ２０５も同様である。電子鍵情報の登録に関しては、後述する。
【００５４】
また、システムバス１０２には、インターフェース１０５および１０６を介して内側電子鍵リード／ライト部２１ｉｎおよび外側電子鍵リード／ライト部２１ｅｘが接続され、また、内側ＬＥＤ駆動部１０７を介して内側ＬＥＤ２２ｉｎが接続され、外側ＬＥＤ駆動部１０８を介して外側ＬＥＤ２２ｅｘが接続され、さらに、音声出力インターフェース１０９を介して内側スピーカ２３ｉｎが接続され、音声インターフェース１１０を介して外側スピーカ２３ｅｘが接続される。
【００５５】
さらに、システムバス１０２には、インターフェース１１１を介してドア開閉センサ２７が接続されると共に、ドアロック機構駆動部１１２を介して、ロック片２６を摺動駆動させるドアロック機構２８が接続される。
【００５６】
電子鍵リード／ライト部２１ｅｘまたは２１ｉｎは、電子鍵カード４０と通信を行なう通信部を構成する。電子鍵リード／ライト部２１ｅｘまたは２１ｉｎは、この例では、電磁誘導アンテナおよび情報送受信部を含む。
【００５７】
この例のドアロック制御装置１００は、ドアロック制御モードとして、オートロックモードと、逐次ロックモードとの２通りの制御モードを備えている。
【００５８】
オートロックモードは、ドアロック制御装置１００が、電子鍵リード／ライト部２１ｅｘ，２１ｉｎを介して電子鍵カードと通信することに基づき玄関ドア１を開錠した後、所定時間後に自動的に玄関ドアを施錠状態にするモードである。オートロックモードにおいては、常に、内側と外側の電子鍵リード／ライト部２１ｅｘ，２１ｉｎの両方を用いるものとなる。
【００５９】
また、逐次ロックモードは、少なくとも玄関ドア１の外側の電子鍵リード／ライト部２１ｅｘを通じて電子鍵カードと通信することに基づき玄関ドアの施錠、開錠の状態を、そのときの状態とは逆の状態にするモードである。この逐次ロックモードにおいても、内側と外側の電子鍵リード／ライト部２１ｅｘ，２１ｉｎの両方を用いることができるが、内側は、別途のマニュアルの施錠手段により施錠するようにした場合には、外側の電子鍵リード／ライト部２１ｅｘを通じた電子鍵カードとの通信のみにより、玄関ドアの施錠、開錠動作を行なわせるようにすることができる。この逐次ロックモードは、従来からの一般的な鍵による施錠、開錠の方法に合わせたモードである。
【００６０】
ドアロック装置２のドアロック制御モードをオートロックモードとするか、逐次ロックモードとするかの選択設定は、この例では、例えば、ドアロック装置２を取り付ける際に、後述するように、作業者により監視制御装置３を通じて行なわれる。
【００６１】
ドアロック装置２がいずれのドアロック制御モードに設定されているかの情報は、ドアロック制御装置１００内の図示を省略した不揮発性メモリに格納されており、ドアロック制御装置１００は、当該不揮発性メモリの記憶情報を参照することにより、自装置のドアロック制御モードが、オートロックモードか、逐次ロックモードかを認識するものである。監視制御装置３を通じたドアロック制御モードの設定動作に関しては、後述する。
【００６２】
なお、ドアロック装置２のドアロック制御モードをオートロックモードとするか、逐次ロックモードとするかの選択設定は、監視制御装置３を通じて行なうのではなく、ドアロック装置２に直接的に行なうようにすることもできる。例えば、予め、ドアロック装置２の出荷時に、いずれのドアロック制御モードにするかの設定をドアロック装置２に行なっておくようにしても良い。また、ドアロック装置２に、ドアロック装置２の設置作業者が操作可能な入力操作手段、例えばディップスイッチ等を設けておき、当該入力操作手段を通じて、ドアロック制御モードの設定を行なうようにしてもよい。
【００６３】
［電子鍵装置の構成例］
電子鍵装置としては、ＩＣカードからなる電子鍵カード４０の他、携帯電話端末やＰＤＡ（Ｐｅｒｓｏｎａｌ　Ｄｉｇｉｔａｌ　Ａｓｓｉｓｔａｎｔ）なども用いることができる。この例では、電子鍵装置は、電子鍵情報用の制御用ＩＣチップと通信手段とを備える点では共通している。
【００６４】
図４は、電子鍵装置が、ＩＣカードからなる電子鍵カード４０である場合の構成例を示す図である。図４（Ａ）は、電子鍵カード４０の表面を示し、この表面には、所有者の氏名と、ＩＤ番号が表示されている。また、図４（Ｂ）は、電子鍵カード４０の内部構成例を示しており、電子鍵カード４０内には、電子鍵リード／ライト部と通信を行なうための電磁誘導用のアンテナ４１と、制御用ＩＣ４２とが内蔵されている。
【００６５】
制御用ＩＣ４２内には、メモリを含み、電子鍵情報となる識別情報、所有者の氏名、個人ＩＤの他、所有者のその他の必要な個人情報が記憶されている。この個人情報は、父親、母親、子供などの区別が可能なように構成されている。また、制御用ＩＣ４２内のメモリに、各所有者が行った電子鍵リード／ライト部２１ｅｘまたは２１ｉｎとの通信の時刻や履歴（内側と外側のどちらの電子鍵リード／ライト部と通信したか情報を含む）や、各所有者の外出、帰宅の履歴などを書き込むようにされている。
【００６６】
なお、これらの履歴情報は、ドアロック制御装置１００の家族情報メモリ１２０や監視制御装置３の後述の家族情報メモリ２０５における各人に対応するエリアにも記憶されるものである。
【００６７】
図５は、電子鍵カード４０の内部ブロック構成を示すものである。ＣＰＵ４０１に対してシステムバス４０２を介してプログラムやデータが記録されているＲＯＭ４０３と、ワークエリア用ＲＡＭ４０４と、電子鍵情報となる識別情報が記憶されている識別情報メモリ４０５と、通信履歴メモリ４０６と、送受信インターフェース４０７とが接続されている。識別情報メモリ４０５には、使用者の個人情報をも記憶することが可能である。
【００６８】
送受信インターフェース４０７には、電磁誘導アンテナ４１に接続されている情報送受信回路４０８が接続されている。そして、識別情報メモリ４０５から読み出した識別情報を送受信インターフェース４０７、情報送受信回路４０８および電磁誘導アンテナ４１を通じて送出する。
【００６９】
また、電磁誘導アンテナ４１にて受信した情報を、情報送受信回路４０８および送受信インターフェース４０７を通じて取り込み、通信履歴メモリ４０６に書き込んだりする。
【００７０】
［監視制御装置３の外観の説明］
図６は、室内に設けられるセキュリティシステム用の監視制御装置３の構成を説明するための外観図であり、この監視制御装置３は、例えば赤外線や電波を用いたリモートコマンダ５０によりリモコン制御可能の構成とされている。
【００７１】
監視制御装置３の筐体３０には、ビデオカメラ３１が組み込まれている。このビデオカメラ３１は、この例では、実線位置の横置き状態と、点線位置の縦置き状態とのいずれの状態をも取れる機構により、筐体３０に対して取り付けられている。このビデオカメラ３１は、セキュリティモードがオンとされたときに、監視制御装置３からの指示により撮影を開始するようにされている。
【００７２】
また、ビデオカメラ３１による撮影方向は、ビデオカメラが首振り方向に調整可能な構造とされているので、その調整により変えられるようにされている。したがって、使用者は、セキュリティモードオンに先立ち、ビデオカメラ３１による撮影方向の調整を行なっておくことができる。
【００７３】
そして、筐体３０には、ビデオカメラ３１による撮影対象部を明るく照明するための撮影用ランプ３２が設けられている。また、筐体３０には、例えば遠赤外線を検知することにより人を検知する人感センサ３３が設けられている。監視制御装置３は、後述するように、セキュリティモードオンのときに人感センサ３３で人を検知したときには、賊の侵入であるとして検知し、撮影用ランプ３２をオンにすると共に、所定の通報先に撮影画像を送るようにする。
【００７４】
筐体３０には、また、マイクロホン３４とスピーカ３５とが設けられている。マイクロホン３４は、賊の声や賊侵入時の室内の臨場音を収音するためのものである。スピーカ３５は、侵入してきた賊を威嚇する音声を放音するためなどに用いられる。
【００７５】
筐体３０には、また、電子鍵リード／ライト部３６が設けられる。この電子鍵リード／ライト部３６は、前述した電子鍵情報としての個人ＩＤの登録の際に用いられるほか、この例では、伝言の記録、再生の際にも用いられる。すなわち、この例においては、監視制御装置３は、伝言装置の役割もできるように構成されており、電子鍵リード／ライト部３６により、電子鍵カード４０を読み取らせた後、後述するようにリモートコマンダ５０の伝言記録ボタンを押すと、設定した相手（家族の誰か）に伝言が残すことができ、また、リモートコマンダ５０の伝言再生ボタンを押すと、自分宛ての伝言を再生することができるようになっている。
【００７６】
この伝言が記録されているかどうかなどを知らせるため等の用途として、筐体３０には、複数個のＬＥＤ３７が設けられている。また、筐体３０には、さらに、リモートコマンダ５０からのリモコン信号の受信部３８が設けられる。
【００７７】
また、図６では図示を省略したが、監視制御装置３の背面パネルには、テレビ受像機７のビデオ入力端子に接続される映像出力端子が設けられている。そして、監視制御装置３には、テレビ受像機７の電源のオン・オフなどを制御するためのリモコン送信部３９が設けられている。
【００７８】
さらに、監視制御装置３は、火災センサ４、ガスセンサ５、窓センサ６ａ，６ｂ、さらには、監視カメラを接続するためのセンサハブを備えている。また、図１で説明したように、監視制御装置３は、電話回線を通じて、セキュリティシステムの管理会社が運営する管理サーバ１０にアクセスできるように構成されている。
【００７９】
［監視制御装置３の構成例］
監視制御装置３の内部構成および監視制御装置３と周辺機器との接続状態の構成例を図７に示す。
【００８０】
監視制御装置３は、マイクロコンピュータの構成を備えており、ＣＰＵ２０１に対して、システムバス２０２を介して、プログラムやデータが記録されているＲＯＭ（Ｒｅａｄ　Ｏｎｌｙ　Ｍｅｍｏｒｙ）２０３と、ワークエリア用ＲＡＭ（Ｒａｎｄｏｍ　Ａｃｃｅｓｓ　Ｍｅｍｏｒｙ）２０４と、ドアロック制御装置１００の家族情報メモリ１２０と同様に、電子鍵カード４０を所有する家族全員の鍵情報となる個人ＩＤが記憶されている家族情報メモリ２０５と、ドアロック制御装置１００と通信を行なうためのドアロック装置通信インターフェース２０６と、センサハブ２０７と、ビデオカメラ３１の撮影画像およびマイクロホン３４で収音した音声を記憶するための画像・音声メモリ２０８と、電話回線を通じて管理サーバ１０等を通信を行なうための通信インターフェース２０９とが接続されている。
【００８１】
また、システムバス２０２には、カメラインターフェース２１０を介してビデオカメラ３１が、インターフェース２１１を介して撮影用ランプ３２の照明機構３２０が、インターフェース２１２を介して人感センサ３３が、インターフェース２１４を介して電子鍵リード／ライト部３６が、インターフェース２１５を介してリモコン受信部３８が、インターフェース２１６を介してリモコン送信部３９が、音声入力インターフェース２１８を介してマイクロホン３４が、インターフェース２１９を介してＬＥＤ３７が、音声出力インターフェース２２０を介してスピーカ３５が、それぞれ接続されている。
【００８２】
さらに、システムバス２０２は、ビデオ信号出力端子からなるテレビインターフェース２１７を介してテレビ受像機７に接続されている。また、システムバス２０２には、時計回路２２１と、通知連絡設定メモリ２２２とが接続されている。
【００８３】
家族情報メモリ２０５は、例えばＥＥＰＲＯＭ（Ｅｌｅｃｔｒｏｎｉｃ　Ｅｒａｓａｂｌｅ　Ｐｒｏｇｒａｍｍａｂｌｅ　ＲＯＭ）で構成される。家族情報メモリ２０５には、ドアロック制御装置１００の家族情報メモリ１２０と同一の複数個の個人ＩＤ（電子鍵情報となる識別情報）が格納されている。また、この家族情報メモリ２０５には、家族構成員のそれぞれについての個人情報や監視制御装置３が玄関ドア１を通じての家族の入退出を管理するための入退出履歴、現在の在宅者の情報も格納される。個人情報としては、例えば氏名、年齢、続き柄、電話番号（携帯電話の電話番号等、連絡先の電話番号となる場合がある）等が格納される。
【００８４】
この例の入退出履歴情報には、外出時刻、帰宅時刻が記憶されるほか、外出中であるか、在宅であるかの在／不在フラグが含まれる。この入退出履歴情報は、監視制御装置３が玄関ドア１を通じての家族の入退出を管理するために用いられる。
【００８５】
さらに、この例では、この家族情報メモリ２０５には、セキュリティモード用の情報も格納されている。すなわち、この例では、監視制御装置３では、家族構成員の在宅状況に応じて、セキュリティレベルを変更することが可能なように構成されている。図８は、セキュリティレベルと家族構成員の在宅状況との関係を示すテーブルである。また、図９は、セキュリティレベルとセキュリティ内容との対応を示すテーブルである。
【００８６】
図９に示すように、この例においては、セキュリティレベルは、セキュリティレベルが高い方から順に、レベルＡ、レベルＢ、レベルＣ、レベルＤまであり、レベルＡにおいては、窓および玄関ドアの監視、火災やガス漏れの監視、ビデオカメラ３１による監視の全てを行ない、レベルＢでは、ビデオカメラ３１による監視は行なわずに、窓および玄関ドアの監視および火災やガス漏れの監視を行ない、レベルＣでは、火災やガス漏れの監視のみを行ない、レベルＤでは、監視を行なわない、という内容である。
【００８７】
そして、図８に示すように、家族構成員の在宅状況のそれぞれに対して各セキュリティレベルが割り付けられる。すなわち、この例では、父親が在宅の状況では、監視を行なわないレベルＤとされる。また、父親が不在であるが母親が在宅の状況では、火災やガス漏れの監視のみを行なうレベルＣとされる。また、子供のみが在宅の状況では、窓および玄関ドアの監視および火災やガス漏れの監視を行なうレベルＢとされる。そして、全員が不在である状況では、全ての監視を行なうレベルＡとされる。
【００８８】
監視制御装置３では、セキュリティモードをオンにするとき、また、セキュリティレベルを変更するとき、これら図８、図９のテーブルを参照し、在宅状況に応じてセキュリティレベルを決定するようにする。
【００８９】
図８のセキュリティレベルと、家族構成員の在宅状況との関係は、予め設定しておくこともできるし、使用者が、例えばリモートコマンダ５０を用いて監視制御装置３に入力設定することにより、設定を変更することできるように構成されている。
【００９０】
なお、これら図８、図９のテーブル情報は、家族情報メモリ２０５ではなく、別のメモリに格納するようにしても良いことは言うまでもない。
【００９１】
ドアロック装置通信インターフェース２０６は、ドアロック制御装置１００に接続されている。センサハブ２０７には、火災センサ４、ガスセンサ５、窓センサ６ａ，６ｂおよび１個あるいは複数個の監視カメラ１３が接続される。
【００９２】
画像・音声メモリ２０８は、セキュリティモードがオンであるときに、ビデオカメラ３１で撮影した画像情報と、マイクロホン３４で収音した音声情報とをバッファリングする監視情報領域と、伝言として記録されている画像情報および音声情報を記憶する伝言情報領域とを備えている。また、監視情報領域には、監視カメラ１３用の画像記憶領域も設けられている。
【００９３】
監視情報領域は、この例では、所定時間、例えば３０秒分の画像情報および音声情報を、いわゆるリングバッファ形式で記憶する。なお、監視情報領域と伝言情報領域とは、別々のメモリの構成とすることも勿論できる。
【００９４】
通信インターフェース２０９は、この例では、ルータ６１に接続されている。ルータ６１は、ＡＤＳＬモデム６２、スプリッタ６３を通じて電話回線６５に接続されている。スプリッタ６３には、電話端末６４が接続される。
【００９５】
時計回路２２１は、現在時刻の情報をシステムバス２０２に送出する。現在時刻の情報には、年、月、日、曜日などのいわゆるカレンダー情報も含む。
【００９６】
通知連絡設定メモリ２２２は、使用者により、例えばリモートコマンダ５０が用いられて設定された通知連絡先の携帯電話番号や電子メールアドレスなどの設定情報を記憶する。ＣＰＵ２０１は、センサハブ２０７からの情報に基づき異常を検知したときに、この設定情報に基づいて、設定された通知連絡先と監視制御装置との間で通信路（通話路）を形成し、通知連絡先に対して異常発生の連絡を行なうようにする。
【００９７】
［リモートコマンダ５０の説明］
監視制御装置３用のリモートコマンダ５０は、図７に示すように、セキュリティボタン５１と、オフボタン５２と、伝言記録ボタン５３と、伝言再生ボタン５４と、メニューボタン５５と、上下左右の選択を行なう４個のキーとその中央の決定キーとからなるカーソルボタン５６とを備えて構成されている。
【００９８】
メニュー項目としては、この例では、管理サーバ１０に対する電子鍵情報としての個人ＩＤの登録、ドアロック装置２のドアロック制御モードの設定、通知連絡先の設定登録、その他が、用意されており、それぞれのメニュー項目に対応する処理を実行するアプリケーションプログラムは、監視制御装置３のＲＯＭ２０３に格納されている。
【００９９】
次に、以上のような構成のドアロックシステムの種々の動作について、以下に説明する。
【０１００】
［電子鍵カード４０の電子鍵情報の登録］
この電子鍵情報としての個人ＩＤの登録が簡単にできることはセキュリティの点で好ましくないので、この例では、この電子鍵情報としての個人ＩＤの登録は、次のようにセキュリティを重視した方法により、例えばドアロック装置２の販売業者あるいは設置業者もしくは使用者により行なわれる。
【０１０１】
先ず、電子鍵リード／ライト部を備えるパーソナルコンピュータを用意する。このパーソナルコンピュータからインターネットを通じて管理サーバ１０のホームページにアクセスし、予め定められたパスワードを入力して、電子鍵情報としての個人ＩＤ登録のページにアクセスし、ドアロック装置２のシリアル番号、ドアロック装置２が設置された住所、電話番号、ドアロック装置２の利用者の氏名など、必要な事項を入力する。
【０１０２】
そして、当該電子鍵情報の登録のページにアクセス中において、登録ボタンをクリックすると、パーソナルコンピュータは、登録したい電子鍵カード４０から電子鍵リード／ライト部により個人ＩＤを含む個人情報を読み取って、管理サーバ１０に送る。
【０１０３】
すると、管理サーバ１０では、受け取った個人情報中の個人ＩＤを、前記入力されたシリアル番号のドアロック装置２についての電子鍵情報として登録する。そして、管理サーバ１０は、登録した電子鍵情報としての個人ＩＤを含む個人情報を、通信ネットワーク９を通じて監視制御装置３に送信する。
【０１０４】
監視制御装置３は、受け取った個人ＩＤを含む個人情報を、家族情報メモリ２０５に書き込むと共に、ドアロック制御装置１００にも、転送する。ドアロック制御装置１００は、受け取った個人ＩＤを含む個人情報を家族情報メモリ１２０に、電子鍵情報として書き込む。
【０１０５】
なお、以上の電子鍵情報としての個人ＩＤの登録動作は一例であって、例えば監視制御装置３を通じて同様にして管理サーバ１０にアクセスして、登録するようにしても良い。また、管理サーバ１０を介することなく、監視制御装置３およびドアロック制御装置１００に、電子鍵情報としての個人ＩＤを登録することができるようにしても良い。
【０１０６】
［監視制御装置３における伝言記録および伝言再生；図１０］
前述したように、この例の監視制御装置３は、電子鍵カード４０と、リモートコマンダ５０を用いて、特定の家人を指定して、伝言を記録しておくことができる。伝言が監視制御装置３に記録されているときには、ＬＥＤ３７が点灯あるいは点滅して、その旨を知らせるようにしている。
【０１０７】
そして、監視制御装置３に、伝言が記録されている場合には、帰宅した家人が、自分の電子鍵カード４０を、この電子鍵リード／ライト部３６により読み取らせ、リモートコマンダ５０により伝言再生を指示すると、記録されている伝言が、その人宛ての伝言である場合には、監視制御装置３は、記録されている伝言を、テレビ受像機７やスピーカ３５を通じて再生するようにするように構成されている。
【０１０８】
図１０は、この伝言記録および再生のための監視制御装置３の処理を説明するためのフローチャートである。この図１０の各ステップＳの処理は、ＣＰＵ２０１がＲＯＭ２０３に記憶されているプログラムにしたがって実行されるものである。
【０１０９】
すなわち、まず、使用者は、伝言記録または伝言再生をするには、自分の電子鍵カード４０を電子鍵リード／ライト部３６にかざして、通信を行なうようにする。ＣＰＵ２０１は、電子鍵リード／ライト部３６で電子鍵カード４０と通信が行なわれたか否か判別し（ステップＳ１）、通信が行われたと判別すると、個人ＩＤを認識する（ステップＳ２）。
【０１１０】
次に、リモートコマンダ５０からのリモコン信号の到来を待ち（ステップＳ３）、リモコン信号を受信したことを確認したら、そのリモコン信号は、伝言記録ボタン５３の操作によるものか否か判別し（ステップＳ４）、伝言記録ボタン５３の操作によるものであると判別したときには、ＣＰＵ２０１は、伝言記録動作を行なうようにする（ステップＳ１２）。
【０１１１】
この伝言記録動作においては、監視制御装置３は、ビデオカメラ３１で撮影された伝言者の画像情報をカメラインターフェース２１０を介して取り込み、画像・音声メモリ２０８の伝言記録領域に格納すると共に、マイクロホン３４で収音した伝言音声情報（伝言メッセージ）をインターフェース２１８を通じて取り込み、画像・音声メモリ２０８の伝言記録領域に格納する。このとき、それら画像情報および音声情報は、電子鍵カード４０から読み込んだ個人ＩＤに対応付けられて、当該個人ＩＤと共に画像・音声メモリ２０８に格納される。
【０１１２】
次に、ＣＰＵ２０１は、家族情報メモリ２０８に記憶されている家族の個人ＩＤを参照して、伝言記録をしようとしている操作者以外の伝言相手のリストをテレビ受像機７の画面に表示する（ステップＳ１４）。このとき、テレビ受像機７に電源が投入されていないときには、リモコン送信部３８を通じて電源をオンにするリモコン信号をテレビ受像機７に供給して、テレビ受像機７に電源を投入しておく。なお、伝言相手のリストの画面は、例えばスーパーインポーズによりテレビ番組の画像に重ねて表示するようにしてもよいし、テレビ番組の画像に重ねることなく単独の画面としてもよい。
【０１１３】
操作者は、この伝言相手のリストから、リモートコマンダ５０のカーソルキー５６を用いて、伝言相手の選択入力を行ない、カーソルキー５６中の中央の決定キーを押す。監視制御装置３のＣＰＵ２０１は、この伝言相手の選択入力を受信して（ステップＳ１５）、当該伝言相手の情報を、画像・音声メモリ２０８の伝言記録領域の、前記画像情報および伝言音声メッセージに対応させて格納して登録する（ステップＳ１６）。そして、伝言が記録されたことを報知するために、１個のＬＥＤ３７を点灯させる（ステップＳ１７）。ＬＥＤ３７は、図６に示したように複数個設けられており、記録されている伝言の数だけ、点灯することとなる。
【０１１４】
また、ステップＳ４において、リモコン信号が伝言記録ボタン５３の操作によるものではないと判別したときには、伝言再生ボタン５４の操作によるものであるか否か判別する（ステップＳ５）。伝言再生ボタン５４の操作によるものでないと判別したときには、ＣＰＵ２０１は、当該操作されたボタンに応じた処理を行なう（ステップＳ６）。
【０１１５】
そして、ステップＳ５において、伝言再生ボタン５４の操作によるものであると判別したときには、ＣＰＵ２１は、ステップＳ２で認識した個人ＩＤを検索子として、画像・音声メモリ２０８の伝言記録領域の記憶内容を検索して、電子鍵カード４０を電子鍵リード／ライト部３６にかざした操作者宛ての伝言があるか否か判別する（ステップＳ７）。
【０１１６】
そして、ステップＳ７において、操作者宛ての伝言が無いと判別したときには、ＣＰＵ２０１は、例えば予めＲＯＭ２０３に用意されている「伝言はありません」の文字情報をテレビ受像機７の画面に表示すると共に、スピーカ３５を通じて音声として放音して、操作者に報知する（ステップＳ８）。
【０１１７】
また、ステップＳ７において、操作者宛ての伝言が有ると判別したときには、当該操作者宛ての伝言画像および伝言音声を画像・音声メモリ２０８から読み出して、テレビ受像機７に表示すると共に、スピーカ３５から放音して再生する（ステップＳ９）。
【０１１８】
伝言の再生が終了すると、ＣＰＵ２０１は、テレビ受像機７の画面に伝言を消去するかどうかの問い合わせを表示するので、操作者は、その表示画面に含まれる「ＹＥＳ」、「ＮＯ」のいずれかをリモートコマンダ５０のカーソルキー５６を用いて選択する。ＣＰＵ２０１は、当該操作者の選択入力から、伝言を消去するか否か判別し（ステップＳ１０）、消去すると判別したときには、画像・音声メモリ２０８の対応する画像・音声情報を消去し（ステップＳ１１）、点灯しているＬＥＤ３７の一つを消灯する（ステップＳ１２）。そして、この伝言記録再生処理ルーチンを終了する。
【０１１９】
また、ステップＳ１０で、伝言を消去しないと判別したときには、そのまま、この伝言記録再生処理ルーチンを終了する。
【０１２０】
［ドアロック制御モードの選択設定；図１１、図１２］
前述したように、この実施形態では、監視制御装置３を通じてドアロック制御モードの設定ができるようにされているので、その設定動作を、図１１のフローチャートを参照しながら説明する。
【０１２１】
先ず、監視制御装置３のＣＰＵ２０１は、リモコン受信部３８の受信信号を監視して、ドアロック制御モードの設定を含む設定メニューのための特定のボタン操作がなされたか否か判別する（ステップＳ２１）。この例では、この特定のボタン操作としては、通常の使用者が行なわない操作とされており、例えばセキュリティボタン５１とメニューボタン５５との同時操作などとされている。このような特定のボタン操作は、ドアロック装置２の設置業者等が設定作業を行なうために定義されている。
【０１２２】
ステップＳ２１で、前記の特定のボタン操作はされないと判別されたときには、単独のボタン操作に応じた処理などの、その他の処理を行なう（ステップＳ２２）。また、ステップＳ２１で、前記の特定のボタン操作がされたと判別されたときには、設定メニューの一覧をテレビ受像機７の画面に、前述の伝言記録再生の場合と同様にして表示するようにする（ステップＳ２３）。
【０１２３】
この設定メニューの一覧表示に対しては、操作者は、行ないたい設定メニュー項目の選択をリモートコマンダ５０のカーソルキーを用いて行なう。ＣＰＵ２０１は、リモコン受信部３８の受信信号を監視してメニュー項目の選択操作がなされたか否か判別し（ステップＳ２４）、メニュー項目の選択操作がなされたと判別したときには、例えば反転表示して示す選択中項目を、選択操作に応じて変更する（ステップＳ２５）。そして、設定項目の決定操作がなされたか否か判別する（ステップＳ２６）。また、ステップＳ２４で、メニュー項目の選択操作がなされないと判別したときには、即座にステップＳ２６に進んで設定項目の決定操作がなされたか否か判別する。
【０１２４】
ステップＳ２６で、設定項目の決定操作がなされないと判別したときには、ステップＳ２４に戻る。また、ステップＳ２６で、設定項目の決定操作がなされたと判別したときには、選択された設定項目はドアロック制御モードの設定であるか否か判別し（ステップＳ２７）、そうではなかったときには選択された他の設定項目についての処理ルーチンを実行する（ステップＳ２８）。
【０１２５】
ステップＳ２７で、選択された設定項目はドアロック制御モードの設定であると判別したときには、ＣＰＵ２０１は、テレビ受像機７の画面にオートロックモードと、逐次ロックモードとの選択画面を表示する（ステップＳ２９）。操作者は、この選択画面において、いずれかの選択入力をカーソルキー５６を用いて行なう。
【０１２６】
そこで、ＣＰＵ２０１は、リモコン受信部３８を監視して、オートロックモードが選択されたか否か判別し（ステップＳ３０）、オートロックモードが選択されたと判別したときには、ドアロック装置２をオートロックモードに設定する設定動作を行なう（ステップＳ３１）。
【０１２７】
すなわち、ＣＰＵ２０１は、監視制御装置３に内蔵の不揮発性メモリ部のドアロック装置２のドアロック制御モードの記憶領域に、オートロックモードであることを示す情報を記憶すると共に、オートロックモードにする旨の指示をドアロック装置２に対して、ドアロック装置通信インターフェース２０６を通じて送る。
【０１２８】
また、ステップＳ３０で、オートロックモードではないと判別したときには、ＣＰＵ２０１は、逐次ロックモードが選択されたと判別して、ドアロック装置２を逐次ロックモードにする設定動作を行なう（ステップＳ３２）。
【０１２９】
すなわち、ＣＰＵ２０１は、監視制御装置３に内蔵の不揮発性メモリ部のドアロック装置２のドアロック制御モードの記憶領域に、逐次ロックモードであることを示す情報を記憶すると共に、逐次ロックモードにする旨の指示をドアロック装置２に対して、ドアロック装置通信インターフェース２０６を通じて送る。
【０１３０】
以上で、監視制御装置３におけるロック制御モードの設定時の動作は終了となる。
【０１３１】
次に、ドアロック装置通信インターフェース２０６を通じて送られてきたドアロック制御モードの指示情報を受信したドアロック制御装置１００の動作について、図１２のフローチャートを参照して説明する。
【０１３２】
先ず、ドアロック制御装置１００のＣＰＵ１０１は、ドアロック制御モードの設定指示情報を監視制御装置３から受け取ったか否か判別し（ステップＳ４１）、受け取らないときには、その他の処理を行なう（ステップＳ４２）。
【０１３３】
ステップＳ４１で、ドアロック制御モードの設定指示情報を監視制御装置３から受け取ったと判別したときには、ＣＰＵ１０１は、選択指示されたドアロック制御モードは、オートロックモードと逐次ロックモードのいずれであるか判別する（ステップＳ４３）。
【０１３４】
ステップＳ４３で、選択指示されたドアロック制御モードはオートロックモードであると判別したときには、ＣＰＵ１０１は、ドアロック装置２のドアロック制御モードをオートロックモードに設定する処理を行なう（ステップＳ４４）。
【０１３５】
すなわち、ステップＳ４４においては、ドアロック制御装置１００のＣＰＵ１０１は、オートロックモードの設定指示に基づき、ドアロック装置２の内側電子鍵リード／ライト部２１ｉｎと、外側電子鍵リード／ライト部２１ｅｘとの両方をアクティブにし、かつ、プログラムＲＯＭ１３のドアロック制御のアプリケーションを、オートロックモード用のものとするようにする。そして、ＣＰＵ１０１は、ドアロック制御装置１００が備える不揮発性メモリ部のドアロック制御モードの記憶領域に、オートロックモードであることを示す情報を記憶する。
【０１３６】
また、ステップＳ４３で、選択指示されたドアロック制御モードは逐次ロックモードであると判別したときには、ＣＰＵ１０１は、ドアロック装置２のドアロック制御モードを逐次ロックモードに設定する処理を行なう（ステップＳ４５）。
【０１３７】
すなわち、ステップＳ４５においては、ドアロック制御装置１００のＣＰＵ１０１は、逐次ロックモードの設定指示に基づき、この例では、ドアロック装置２の内側電子鍵リード／ライト部２１ｉｎと、外側電子鍵リード／ライト部２１ｅｘとの両方をアクティブにし、かつ、プログラムＲＯＭ１３のドアロック制御のアプリケーションを、逐次ロックモード用のものとするようにする。そして、ＣＰＵ１０１は、ドアロック制御装置１００が備える不揮発性メモリ部のドアロック制御モードの記憶領域に、逐次ロックモードであることを示す情報を記憶する。
【０１３８】
なお、この例では、逐次ロックモードにおいても、内側電子鍵リード／ライト部２１ｉｎと、外側電子鍵リード／ライト部２１ｅｘとの両方を用いるようにしたが、この逐次ロックモードにおいては、外側電子鍵リード／ライト部ｅｘのみをアクティブにして、内側電子鍵リード／ライト部２１ｉｎを用いないようにすることもできる。その場合には、家の内側からの施錠が問題になるが、例えば、内側からの玄関ドアの施錠を、電子鍵カードを用いずにマニュアル操作で行なえる構成とすればよい。
【０１３９】
次に、オートロックモードと、逐次ロックモードのそれぞれの場合のドアロック装置２の動作について説明する。以下に説明するフローチャートにおける各ステップＳの動作は、ドアロック制御装置１００のＣＰＵ１０１が主として実行する処理動作である。
【０１４０】
［オートロックモード；図１３〜図１８］
オートロックモードのときの動作を、図１３〜図１８のフローチャートを参照しながら説明する。このオートロックモードのときには、玄関ドア１は、定常状態では、施錠状態とされる。そして、電子鍵カード４０が、内側電子鍵リード／ライト部２１ｉｎまたは外側電子鍵リード／ライト部２１ｅｘにかざされて通信が両者の間で行なわれ、個人ＩＤについての認証がとれたときには、所定時間のみ玄関ドアを開錠し、所定時間後に、自動的に玄関ドア１は施錠状態に戻るように、ドアロック制御装置１００により制御されるものである。
【０１４１】
ＣＰＵ１０１は、インターフェース１０５，１０６を介して、内側電子鍵リード／ライト部２１ｉｎおよび外側電子鍵リード／ライト部２１ｅｘを監視し、電子鍵カード４０がかざされて、電子鍵カード４０と内側電子鍵リード／ライト部２１ｉｎまたは外側電子鍵リード／ライト部２１ｅｘとの間で通信が行われるのを待つ（ステップＳ５１）。
【０１４２】
そして、ステップＳ５１において、電子鍵カード４０がかざされて、電子鍵カード４０と通信が行なわれたと判別したときには、ＣＰＵ１０１は、個人ＩＤを含む個人情報を電子鍵カード４０から受信し、例えばＲＡＭ１０４などに一時的に格納する（ステップＳ５２）。このとき、ドアロック制御装置１００が備える時計回路（図示を省略）の時刻情報が、電子鍵カード４０に与えられ、制御用ＩＣ内４２のメモリに書き込まれる。また、内側電子鍵リード／ライト部２１ｉｎまたは外側電子鍵リード／ライト部２１ｅｘのどちらと通信をしたかの情報として、通信相手のＩＤ等が制御用ＩＣ４２のメモリに書き込まれる。
【０１４３】
次に、ＣＰＵ１０１は、内側電子鍵リード／ライト部２１ｉｎまたは外側電子鍵リード／ライト部２１ｅｘのどちらで電子鍵カード４０と通信が行われたかを判別する（ステップＳ５３）。その判別結果と、前記の通信の時刻情報とは、家族情報メモリ１２０の、前記個人ＩＤに対応する家人の記録エリアにも書き込まれ、また、監視制御装置３にも、その家族情報メモリ２０５に記憶させるために転送される。
【０１４４】
［内側電子鍵リード／ライト部２１ｉｎでの通信の場合；図１３〜図１５］
ステップＳ５３で、電子鍵カード４０と通信が行われたのが内側電子鍵リード／ライト部２１ｉｎであると判別したときには、ＣＰＵ１０１は、在宅者が外出する場合であるとして、以下のような処理を行なう。なお、この例では、在宅者が玄関ドア１を開錠し、玄関ドア１を開けたときには、それまでにセキュリティモードがオンになっていても、一旦、セキュリティモードは、オフとされるものとしている。
【０１４５】
ＣＰＵ１０１は、先ず、家族情報メモリ１２０に記憶されている個人ＩＤと、電子鍵カード４０から受信した個人ＩＤとを比較して、家族情報メモリ１２０に記憶されている個人ＩＤの中に、電子鍵カード４０から受信した個人ＩＤと一致するものがあるかどうかにより、当該電子鍵カード４０がドアロック装置２に登録された電子鍵カードであるか否かを判別して、当該電子鍵カード４０についての認証を行なう（ステップＳ５４）。
【０１４６】
そして、その認証結果を判別し（ステップＳ５５）、家族情報メモリ１２０に記憶されている個人ＩＤの中に、電子鍵カード４０から受信した個人ＩＤと一致するものがなくて、認証が取れなかったとき（認証ＮＧ）であると判別したときには、ＣＰＵ１０１は、内側ＬＥＤ駆動部１０７を駆動して、内側ＬＥＤ２２ｉｎを赤色で点滅させると共に、内側スピーカ２３ｉｎから警告音を放音して、認証ＮＧであることを電子鍵カード４０の使用者に報知する（ステップＳ５６）。そして、ドアロック機構２８は施錠状態のままとして、ステップＳ５１に戻る。
【０１４７】
また、ステップＳ５５で、家族情報メモリ１２０に記憶されている個人ＩＤの中に、電子鍵カード４０から受信した個人ＩＤと一致するものがあって、認証がＯＫであると判別したときには、ＣＰＵ１０１は、内側ＬＥＤ駆動部１０７を駆動して、内側ＬＥＤ２２ｉｎを緑色で１秒間点灯させ、認証ＯＫであることを電子鍵カード４０の使用者に報知する（ステップＳ５７）。このとき、ＣＰＵ１０１により、併せて内側スピーカ２３ｉｎから「認証がとれました」というメッセージを放音させるようにしても良い。
【０１４８】
そして、このとき、認証がＯＫであることから、ＣＰＵ１０１は、ドアロック機構駆動部１１２を駆動制御して、ドアロック機構２８により玄関ドア１を開錠状態にし（ステップＳ５８）、内側スピーカ２３ｉｎから、「ドアロックを解除しました」というメッセージを放音させる（ステップＳ５９）。このとき、内側ＬＥＤ２２ｉｎを、例えば緑色で点滅させ、ドアロックの解除状態を電子鍵カード４０の使用者に報知するようにしてもよい。
【０１４９】
このとき、ＣＰＵ１０１は、電子鍵カード４０により内側から玄関ドア１が開錠されたことを認識していることに基づき、当該電子鍵カード４０の使用者（在宅者）が外出しようとしていると認識する。そして、監視制御装置３に対して窓の開閉状態についての問い合わせを送る（図１４のステップＳ６１）。
【０１５０】
これに対して、監視制御装置３では、窓センサ６ａ，６ｂのセンサ出力をセンサハブ２０７を通じて取得して、窓の開閉を確認する。つまり、戸締りを確認する。そして、窓の開閉状態についての確認結果をドアロック装置インターフェース２０６を通じてドアロック制御装置１００に返信するようにする。
【０１５１】
ドアロック制御装置１００では、この窓の開閉状態についての確認結果を、通信インターフェース１２１を通じて受信する（ステップＳ６２）。そして、ＣＰＵ１０１は、受信した当該確認結果を解析して、窓が開放されているか否か判別する（ステップＳ６３）。
【０１５２】
そして、窓が開いていると判別したときには、ＣＰＵ１０１は、窓が開いていることを内側スピーカ２３ｉｎからの放音音声により警告する（ステップＳ６４）。また、窓が閉じていると判別したときには、ＣＰＵ１０１は、戸締りがＯＫであることを内側スピーカ２３ｉｎからの放音音声により報知する（ステップＳ６５）。
【０１５３】
次に、ＣＰＵ１０１は、ドア開閉センサ２７のセンサ出力をインターフェース１１１を通じて取り込み、玄関ドア１が開けられた否か監視する（ステップＳ６６）。そして、ＣＰＵ１０１は、玄関ドア１が開けられずに所定時間、例えば１０秒経過したかどうかを判別し（ステップＳ６７）、１０秒経過したと判別したときには、玄関ドア１を自動的に施錠状態に戻すようにする（ステップＳ６８）。そして、ＣＰＵ１０１は、内側ＬＥＤ２２ｉｎを緑色で点滅して、玄関ドア１が施錠状態に戻ったことを報知する（ステップＳ６９）。
【０１５４】
また、ステップＳ６６で、ステップＳ５８での開錠後、１０秒以内に玄関ドア１が開かれたと判別したときには、ＣＰＵ１０１は、ステップＳ５２で取り込んだ個人ＩＤで示される在宅者が外出をしたと認識して、当該個人ＩＤを含む個人情報を、外出者情報として監視制御装置３に転送する（ステップＳ７０）。
【０１５５】
その後、ＣＰＵ１０１は、ドア開閉センサ２７のセンサ出力を参照して、玄関ドア１が閉じられたことを確認し（ステップＳ７１）、玄関ドア１が閉じられた後、所定時間、例えば３秒経過したことを確認したら（ステップＳ７２）、ドアロック機構駆動部１１２を駆動制御して、ドアロック機構２８により玄関ドア１を施錠状態に復帰させるようにする（図１５のステップＳ８１）。そして、ＣＰＵ１０１は、外側ＬＥＤ２２ｅｘを緑色で点滅して、玄関ドア１が施錠状態に戻ったことを電子鍵カード４０の使用者に報知する（ステップＳ８２）。この外側ＬＥＤ２２ｅｘの緑色点滅は、所定時間、例えば１０秒間続けられる。
【０１５６】
その後、ＣＰＵ１０１は、前記所定時間、例えば１０秒経過したか否か判別し（ステップＳ８３）、所定時間経過していないと判別したときには、ステップＳ５１で通信が行われたと判別された電子鍵カードが、再度、外側電子鍵リード／ライト部２１ｅｘと通信したか否か判別する（ステップＳ８４）、通信がなされないと判別したときにはステップＳ８３に戻る。
【０１５７】
そして、ステップＳ８３で、電子鍵カードと外側電子鍵リード／ライト部２１ｅｘとで通信が行われずに、前記所定時間経過したと判別したときには、ＣＰＵ１０１は、内側電子鍵リード／ライト部２１ｉｎに対して電子鍵カード４０がかざされたことにより開始された玄関ドアのロック制御動作を一段落したとして、図１３のステップＳ５１に戻る。
【０１５８】
また、ステップＳ８４で、玄関ドア施錠復帰後、外側ＬＥＤ２２ｅｘの緑色点滅が終了する所定時間経過する前に、ステップＳ５１において通信が行われたと判別された電子鍵カードと外側電子鍵リード／ライト部２１ｅｘとで通信が行われたと判別すると、ステップＳ６１〜Ｓ６３で確認された戸締りを再確認する（ステップＳ８５）。
【０１５９】
ステップＳ８５で、戸締りがＯＫであると判別したときには、ＣＰＵ１０１は、通信インターフェース１２１を通じてセキュリティモードをオンにする要求を監視制御装置３に送信する（ステップＳ８６）。
【０１６０】
この要求に対しては、監視制御装置３は、そのときの在宅状況をチェックして、セキュリティレベルが図８に示したいずれのレベルとなるかを判定する。そして、監視制御装置３は、その判定の結果、セキュリティレベルがレベルＤであるときには、セキュリティモードはオンにできないので、その旨をドアロック制御装置１００に返し、セキュリティレベルがレベルＤ以外であるときには、セキュリティモードをオンにできるので、その旨をドアロック制御装置１００に返す。
【０１６１】
ドアロック制御装置１００のＣＰＵ１０１は、監視制御装置３からのセキュリティモードオンの要求に対する返答を解析して、セキュリティモードをオンにできるか否か判別する（ステップＳ８７）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ８８）。
【０１６２】
また、ステップＳ８７で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ８９）。その後、ステップＳ５１に戻る。
【０１６３】
また、ステップＳ８５で、窓が開いていて戸締りが完了していないと判別したときには、ＣＰＵ１０１は、「窓が開いているため、セキュリティモードをオンにすることはできません」という警告メッセージを放音する（ステップＳ９０）。そして、その後、ステップＳ５１に戻る。
【０１６４】
［外側電子鍵リード／ライト部２１ｅｘでの通信の場合；図１６〜図１８］
ステップＳ５１で、電子鍵カード４０と通信が行われたのが外側電子鍵リード／ライト部２１ｅｘであると判別したときには、ＣＰＵ１０１は、家人が帰宅した場合あるいはその他の外にいる者の入室要求であるとして、以下のような処理を行なう。
【０１６５】
ＣＰＵ１０１は、まず、家族情報メモリ１２０に記憶されている個人ＩＤと、電子鍵カード４０から受信した個人ＩＤとを比較して、家族情報メモリ１２０に記憶されている個人ＩＤの中に、電子鍵カード４０から受信した個人ＩＤと一致するものがあるかどうかにより、当該電子鍵カード４０がドアロック装置２に登録された電子鍵カードであるか否かを判別して、当該電子鍵カード４０についての認証を行なう（図１６のステップＳ１０１）。
【０１６６】
そして、その認証結果を判別し（ステップＳ１０２）、家族情報メモリ１２０に記憶されている個人ＩＤの中に、電子鍵カード４０から受信した個人ＩＤと一致するものがなくて、認証が取れなかったとき（認証ＮＧ）であると判別したときには、ＣＰＵ１０１は、外側ＬＥＤ駆動部１０８を駆動して、外側ＬＥＤ２２ｅｘを赤色で点滅させると共に、外側スピーカ２３ｅｘから警告音を放音して、認証ＮＧであることを電子鍵カード４０の使用者に報知する（ステップＳ１０３）。そして、ドアロック機構２８は施錠状態のままとして、図１３のステップＳ５１に戻る。
【０１６７】
また、ステップＳ１０２で、家族情報メモリ１２０に記憶されている個人ＩＤの中に、電子鍵カード４０から受信した個人ＩＤと一致するものがあって、認証がＯＫであると判別したときには、ＣＰＵ１０１は、外側ＬＥＤ駆動部１０８を駆動して、外側ＬＥＤ２２ｅｘを緑色で１秒間点灯させ、認証ＯＫであることを電子鍵カード４０の使用者に報知する（ステップＳ１０４）。このとき、ＣＰＵ１０１により、合わせて外側スピーカ２３ｅｘから「認証がとれました」というメッセージを放音させるようにしても良い。
【０１６８】
そして、このとき、認証がＯＫであることから、ＣＰＵ１０１は、ドアロック機構駆動部１１２を駆動制御して、ドアロック機構２８により玄関ドア１を開錠状態にし（ステップＳ１０５）、外側スピーカ２３ｅｘから、「ドアロックを解除しました」というメッセージを放音させる（ステップＳ１０６）。このとき、外側ＬＥＤ２２ｅｘを、例えば緑色で点滅させ、ドアロックの解除状態を電子鍵カード４０の使用者に報知するようにしてもよい。
【０１６９】
次に、ＣＰＵ１０１は、ドア開閉センサ２７のセンサ出力をインターフェース１１１を通じて取り込み、玄関ドア１が開けられた否か監視する（ステップＳ１０７）。そして、ＣＰＵ１０１は、玄関ドア１が開けられずに所定時間、例えば１０秒経過したかどうかを判別し（ステップＳ１０８）、１０秒経過したと判別したときには、玄関ドア１を自動的に施錠状態に戻すようにする（ステップＳ１０９）。そして、ＣＰＵ１０１は、外側ＬＥＤ２２ｅｘを緑色で点滅して、玄関ドア１が施錠状態に戻ったことを報知する（ステップＳ１１０）。
【０１７０】
その後、ＣＰＵ１０１は、所定時間、例えば１０秒経過したか否か判別し（図１７のステップＳ１１１）、所定時間経過していないと判別したときには、ステップＳ５１で通信が行われたと判別された電子鍵カード４０が外側電子鍵リード／ライト部２１ｅｘと通信したか否か判別し（ステップＳ１１２）、通信がなされないと判別したときにはステップＳ１１１に戻る。
【０１７１】
そして、ステップＳ１１１で、電子鍵カード４０と外側電子鍵リード／ライト部２１ｅｘとで通信が行われずに、所定時間経過したと判別したときには、ＣＰＵ１０１は、外側電子鍵リード／ライト部２１ｅｘに対して電子鍵カード４０がかざされたことにより開始された玄関ドアのロック制御動作を一段落したとして、図１３のステップＳ５１に戻る。
【０１７２】
また、ステップＳ１１２で、玄関ドア施錠復帰後、所定時間経過する前に、ステップＳ５１において通信が行われたと判別された電子鍵カード４０と外側電子鍵リード／ライト部２１ｅｘとで通信が行われたと判別すると、戸締りを確認する（ステップＳ１１３）。
【０１７３】
このステップＳ１１３での戸締りの確認は、前述のステップＳ６１〜Ｓ６３において説明した処理と同様に行なう。つまり、ドアロック制御装置１００は、監視制御装置３に対して窓の開閉状態についての問い合わせを行ない、問い合わせ結果を監視制御装置３から取得する。そして、その問い合わせ結果から、戸締りがＯＫかどうかを判別する。
【０１７４】
ステップＳ１１３で、戸締りがＯＫであると判別したときには、ＣＰＵ１０１は、通信インターフェース１２１を通じてセキュリティモードをオンにする要求を監視制御装置３に送信する（ステップＳ１１４）。
【０１７５】
この要求に対しては、監視制御装置３は、そのときの在宅状況をチェックして、セキュリティレベルが図８に示したいずれのレベルとなるかを判定する。そして、監視制御装置３は、その判定の結果、セキュリティレベルがレベルＤであるときには、セキュリティモードはオンにできないので、その旨をドアロック制御装置１００に返し、セキュリティレベルがレベルＤ以外であるときには、セキュリティモードをオンにできるので、その旨をドアロック制御装置１００に返す。
【０１７６】
ドアロック制御装置１００のＣＰＵ１０１は、監視制御装置３からのセキュリティモードオンの要求に対する返答を解析して、セキュリティモードをオンにできるか否か判別する（ステップＳ１１５）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ１１６）。
【０１７７】
また、ステップＳ１１５で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ１１７）。その後、ステップＳ５１に戻る。
【０１７８】
また、ステップＳ１１３で、窓が開いていて戸締りが完了していないと判別したときには、ＣＰＵ１０１は、「窓が開いているため、セキュリティモードをオンにすることはできません」という警告メッセージを放音する（ステップＳ１１８）。そして、その後、図１３のステップＳ５１に戻る。
【０１７９】
ステップＳ１１１〜ステップＳ１１８の処理は、一旦、玄関ドア１を内側から開錠した後、所定時間以内に、外側電子鍵リード／ライト部２１ｅｘに電子鍵カード４０をかざして、セキュリティモードをオンにするのを忘れた者が、もう一度、室内に戻って、内側電子鍵リード／ライト部２１ｉｎに対して電子鍵カード４０をかざすところからやり直す手間を防止するための処理である。
【０１８０】
すなわち、一旦、玄関ドア１を内側から開錠した後、所定時間以内に、外側電子鍵リード／ライト部２１ｅｘに電子鍵カード４０をかざして、セキュリティモードをオンにするのを忘れた、あるいは失敗した場合に、外側電子鍵リード／ライト部２１ｅｘに電子鍵カード４０をかざして、玄関ドア１を一旦開錠させ、その後、１０秒待って再施錠になった後、１０秒以内に、再び、外側電子鍵リード／ライト部２１ｅｘに電子鍵カード４０をかざすことにより、セキュリティモードをオンにすることができるものである。このようにすれば、セキュリティモードをオンに設定するために、開錠してから室内に入り、内側電子鍵リード／ライト部２１ｉｎに電子鍵カード４０をかざすところからやり直す必要がなく、便利である。
【０１８１】
次に、ステップＳ１０７で、ステップＳ１０５でのドアロックの開錠後、１０秒以内に玄関ドア１が開かれたと判別したときには、ＣＰＵ１０１は、ステップＳ５２で取り込んだ個人ＩＤで示される外出者が帰宅したと認識して、当該個人ＩＤを含む個人情報を、帰宅者情報として監視制御装置３に転送する（図１８のステップＳ１２１）。
【０１８２】
その後、ＣＰＵ１０１は、ドア開閉センサ２７のセンサ出力を参照して、玄関ドア１が閉じられたことを確認し（ステップＳ１２２）、玄関ドア１が閉じられた後、所定時間、例えば３秒経過したことを確認したら（ステップＳ１２３）、ドアロック機構駆動部１１２を駆動制御して、ドアロック機構２８により玄関ドア１を施錠状態に復帰させるようにする（ステップＳ１２４）。そして、ＣＰＵ１０１は、内側ＬＥＤ２２ｉｎを緑色で点滅して、玄関ドア１が施錠状態に戻ったことを報知する（ステップＳ１２５）。
【０１８３】
その後、ＣＰＵ１０１は、帰宅者があったことから在宅状況が変更することに基づき、セキュリティレベルの変更指示を監視制御装置３に送る（ステップＳ１２６）。
【０１８４】
このセキュリティレベルの変更指示を受け取った監視制御装置３では、ステップＳ１２１での帰宅者情報による在宅状況の変化を認識し、図８に示した在宅状況とセキュリティレベルとの対応テーブルを参照して、セキュリティレベルの変更の必要があるか否か判別し、必要があるときには、セキュリティレベルを変更する。そして、監視制御装置３は、セキュリティレベルを変更したかどうかを、ドアロック制御装置１００に通知する。
【０１８５】
ドアロック制御装置１００のＣＰＵ１０１は、監視制御装置３からのセキュリティレベルの変更に関する通知を受け取って（ステップＳ１２７）、セキュリティレベルが変更されたか否かを判別する（ステップＳ１２８）。
【０１８６】
そして、ステップＳ１２８で、セキュリティモードが変更されたと判別したときには、ＣＰＵ１０１は、内側スピーカ２３ｉｎから、「セキュリティレベルを変更しました」というメッセージを放音する（ステップＳ１２９）。そして、ステップＳ５１に戻る。
【０１８７】
なお、以上の説明では、帰宅者があったときには、ドアロック制御装置１００から、ステップＳ１２６において、監視制御装置３にセキュリティレベルの変更指示を送るようにしたが、監視制御装置３では、ステップＳ１２１での帰宅者情報の転送を受けるので、ドアロック制御装置１００からのセキュリティレベルの変更指示を受けなくても、自動的にセキュリティレベルの変更が必要かどうかを判断して、必要である場合には、セキュリティレベルを自動的に変更するようにしても良い。その場合には、セキュリティレベルを変更したときには、その旨をドアロック制御装置１００に転送するようにする。
【０１８８】
［逐次ロックモードの説明；図１９〜図２１］
次に、逐次ロックモードのときの動作を、図１９および図２０のフローチャートを参照しながら説明する。この逐次ロックモードのときには、電子鍵カード４０が、内側電子鍵リード／ライト部２１ｉｎまたは外側電子鍵リード／ライト部２１ｅｘにかざされて通信が両者の間で行なわれ、個人ＩＤについての認証がとれたときには、そのときの玄関ドア１の開錠あるいは施錠の状態とは逆の状態になるように、ドアロック機構２８は、ドアロック制御装置１００により制御されるものである。
【０１８９】
ＣＰＵ１０１は、インターフェース１０５，１０６を介して、内側電子鍵リード／ライト部２１ｉｎおよび外側電子鍵リード／ライト部２１ｅｘを監視し、電子鍵カード４０がかざされて、電子鍵カード４０と内側電子鍵リード／ライト部２１ｉｎまたは外側電子鍵リード／ライト部２１ｅｘとの間で通信が行われるのを待つ（ステップＳ１３１）。
【０１９０】
そして、ステップＳ１３１において、電子鍵カード４０がかざされて、電子鍵カード４０と通信が行なわれたと判別したときには、ＣＰＵ１０１は、個人ＩＤを含む個人情報を電子鍵カード４０から受信し、例えばＲＡＭ１０４などに一時的に格納する（ステップＳ１３２）。このとき、前述と同様に、電子鍵カード４０には時刻情報等が書き込まれると共に、家族情報メモリ１２０および監視制御装置３の家族情報メモリ２０５への時刻情報等の書き込みが行なわれる。
【０１９１】
内側電子鍵リード／ライト部２１ｉｎまたは外側電子鍵リード／ライト部２１ｅｘのどちらで電子鍵カード４０と通信が行われたかを判別する（ステップＳ１３３）。
【０１９２】
［内側電子鍵リード／ライト部２１ｉｎでの通信の場合；図１９］
ステップＳ１３３で、電子鍵カード４０と通信が行われたのが内側電子鍵リード／ライト部２１ｉｎであると判別したときには、ＣＰＵ１０１は、在宅者が外出する場合あるいは玄関ドア１をセキュリティのために施錠する場合であるとして、以下のような処理を行なう。
【０１９３】
ＣＰＵ１０１は、先ず、家族情報メモリ１２０に記憶されている個人ＩＤと、電子鍵カード４０から受信した個人ＩＤとを比較して、家族情報メモリ１２０に記憶されている個人ＩＤの中に、電子鍵カード４０から受信した個人ＩＤと一致するものがあるかどうかにより、当該電子鍵カード４０がドアロック装置２に登録された電子鍵カードであるか否かを判別して、当該電子鍵カード４０についての認証を行なう（ステップＳ１３４）。
【０１９４】
そして、その認証結果を判別し（ステップＳ１３５）、家族情報メモリ１２０に記憶されている個人ＩＤの中に、電子鍵カード４０から受信した個人ＩＤと一致するものがなくて、認証が取れなかったとき（認証ＮＧ）であると判別したときには、ＣＰＵ１０１は、内側ＬＥＤ駆動部１０７を駆動して、内側ＬＥＤ２２ｉｎを赤色で点滅させると共に、内側スピーカ２３ｉｎから警告音を放音して、認証ＮＧであることを電子鍵カード４０の使用者に報知する（ステップＳ１３６）。そして、ドアロック機構２８は、その前の状態のままとして、ステップＳ１３１に戻る。
【０１９５】
また、ステップＳ１３５で、家族情報メモリ１２０に記憶されている個人ＩＤの中に、電子鍵カード４０から受信した個人ＩＤと一致するものがあって、認証がＯＫであると判別したときには、ＣＰＵ１０１は、内側ＬＥＤ駆動部１０７を駆動して、内側ＬＥＤ２２ｉｎを緑色で１秒間点灯させ、認証ＯＫであることを電子鍵カード４０の使用者に報知する（ステップＳ１３７）。このとき、ＣＰＵ１０１により、併せて内側スピーカ２３ｉｎから「認証がとれました」というメッセージを放音させるようにしても良い。
【０１９６】
そして、ＣＰＵ１０１は、現在のドアロック機構２８による玄関ドア１のロック状態は、施錠状態になっているか否か判別する（ステップＳ１３８）。このステップＳ１３８で、ドアロック機構２８による玄関ドア１のロック状態が、開錠状態であると判別したときには、その逆の状態である施錠状態にするように、ドアロック機構駆動部１１２を駆動制御する（ステップＳ１３９）。
【０１９７】
そして、ＣＰＵ１０１は、内側ＬＥＤ２２ｉｎを、例えば緑色で点滅させると共に、内側スピーカ２３ｉｎから、「玄関ドアを施錠しました」というメッセージを放音させ、施錠状態にしたことを電子鍵カード４０の使用者に報知するようにする（ステップＳ１４０）。
【０１９８】
そして、ＣＰＵ１０１は、ステップＳ１３２で取り込んだ個人ＩＤで示される者が、セキュリティのために施錠をしたと認識して、当該個人ＩＤを含む個人情報を、在宅者情報として監視制御装置３に転送する（ステップＳ１４１）。
【０１９９】
また、ステップＳ１３８で、現在のドアロック機構２８のロック状態は、施錠状態であると判別したときには、ＣＰＵ１０１は、ドアロック機構駆動部１１２を駆動制御して、ドアロック機構２８を開錠状態にし（ステップＳ１４２）、内側ＬＥＤ２２ｉｎを、例えば緑色で点滅させると共に、内側スピーカ２３ｉｎから、「ドアロックを解除しました」というメッセージを放音させる（ステップＳ１４３）。
【０２００】
そして、このときには、ＣＰＵ１０１は、ステップＳ１３２で取り込んだ個人ＩＤで示される者が、開錠をして外出をしたと認識して、当該個人ＩＤを含む個人情報を、外出者情報として監視制御装置３に転送する（ステップＳ１４４）。
【０２０１】
［外側電子鍵リード／ライト部２１ｅｘでの通信の場合；図２０〜図２１］
ステップＳ１３１で、電子鍵カード４０と通信が行われたのが外側電子鍵リード／ライト部２１ｅｘであると判別したときには、ＣＰＵ１０１は、家人が帰宅して開錠する場合あるいは家人が外出のため施錠する場合であるとして、以下のような処理を行なう。
【０２０２】
ＣＰＵ１０１は、まず、家族情報メモリ１２０に記憶されている個人ＩＤと、電子鍵カード４０から受信した個人ＩＤとを比較して、家族情報メモリ１２０に記憶されている個人ＩＤの中に、電子鍵カード４０から受信した個人ＩＤと一致するものがあるかどうかにより、当該電子鍵カード４０がドアロック装置２に登録された電子鍵カードであるか否かを判別して、当該電子鍵カード４０についての認証を行なう（ステップＳ１５１）。
【０２０３】
そして、その認証結果を判別し（ステップＳ１５２）、家族情報メモリ１２０に記憶されている個人ＩＤの中に、電子鍵カード４０から受信した個人ＩＤと一致するものがなくて、認証が取れなかったとき（認証ＮＧ）であると判別したときには、ＣＰＵ１０１は、外側ＬＥＤ駆動部１０８を駆動して、外側ＬＥＤ２２ｅｘを赤色で点滅させると共に、外側スピーカ２３ｅｘから警告音を放音して、認証ＮＧであることを電子鍵カード４０の使用者に報知する（ステップＳ１５３）。そして、ドアロック機構２８は施錠状態のままとして、ステップＳ１３１に戻る。
【０２０４】
また、ステップＳ１０２で、家族情報メモリ１２０に記憶されている個人ＩＤの中に、電子鍵カード４０から受信した個人ＩＤと一致するものがあって、認証がＯＫであると判別したときには、ＣＰＵ１０１は、外側ＬＥＤ駆動部１０８を駆動して、外側ＬＥＤ２２ｅｘを緑色で１秒間点灯させ、認証ＯＫであることを電子鍵カード４０の使用者に報知する（ステップＳ１５４）。このとき、ＣＰＵ１０１により、併せて外側スピーカ２３ｅｘから「認証がとれました」というメッセージを放音させるようにしても良い。
【０２０５】
そして、ＣＰＵ１０１は、現在のドアロック機構２８のロック状態は、施錠状態になっているか否か判別する（ステップＳ１５５）。このステップＳ１５５で、現在のドアロック機構２８による玄関ドア１のロック状態は、施錠状態であると判別したときには、ＣＰＵ１０１は、ドアロック機構駆動部１１２を駆動制御して、ドアロック機構２８により玄関ドア１を開錠状態にし（ステップＳ１５６）、内側ＬＥＤ２２ｉｎを、例えば緑色で点滅させると共に、内側スピーカ２３ｉｎから、「ドアロックを解除しました」というメッセージを放音させる（ステップＳ１５７）。
【０２０６】
そして、ＣＰＵ１０１は、ステップＳ１３２で取り込んだ個人ＩＤで示される者が、帰宅のため開錠をしたと認識して、当該個人ＩＤを含む個人情報を、帰宅者情報として監視制御装置３に転送する（ステップＳ１５８）。
【０２０７】
また、ステップＳ１５５で、現在の玄関ドア１のロック状態が開錠状態であると判別したときには、その逆の状態である施錠状態にするように、ドアロック機構駆動部１１２を駆動制御して、ドアロック機構２８により玄関ドア１を施錠状態にする（ステップＳ１５９）。
【０２０８】
そして、ＣＰＵ１０１は、内側ＬＥＤ２２ｉｎを、例えば緑色で点滅させると共に、内側スピーカ２３ｉｎから、「玄関ドアを施錠しました」というメッセージを放音させ、施錠状態にしたことを電子鍵カード４０の使用者に報知するようにする（ステップＳ１６０）。
【０２０９】
そして、ＣＰＵ１０１は、ステップＳ１３２で取り込んだ個人ＩＤで示される者が、外出のために施錠をしたと認識して、当該個人ＩＤを含む個人情報を、外出者情報として監視制御装置３に転送する（ステップＳ１６１）。
【０２１０】
そして、施錠後、ＣＰＵ１０１は、所定時間、例えば１０秒経過したか否か判別し（図２１のステップＳ１６２）、所定時間経過していないと判別したときには、ステップＳ１３１で通信が行われたと判別された電子鍵カードが、再度、外側電子鍵リード／ライト部２１ｅｘと通信したか否か判別し（ステップＳ１６３）、通信がなされないと判別したときにはステップＳ１６２に戻る。
【０２１１】
また、ステップＳ１６３で、玄関ドア施錠後、所定時間経過する前に、ステップＳ５１において通信が行われたと判別された電子鍵カードと外側電子鍵リード／ライト部２１ｅｘとで通信が行われたと判別すると、戸締りを確認する（ステップＳ１６４）。
【０２１２】
このステップＳ１６４での戸締りの確認は、前述のステップＳ６１〜Ｓ６３において説明した処理と同様に行なう。つまり、ドアロック制御装置１００は、監視制御装置３に対して窓の開閉状態についての問い合わせを行ない、問い合わせ結果を監視制御装置３から取得する。そして、その問い合わせ結果から、戸締りがＯＫかどうかを判別する。
【０２１３】
ステップＳ１６４で、戸締りがＯＫであると判別したときには、ＣＰＵ１０１は、通信インターフェース１２１を通じてセキュリティモードをオンにする要求を監視制御装置３に送信する（ステップＳ１６５）。
【０２１４】
この要求に対しては、監視制御装置３は、そのときの在宅状況をチェックして、セキュリティレベルが図８に示したいずれのレベルとなるかを判定する。そして、監視制御装置３は、その判定の結果、セキュリティレベルがレベルＤであるときには、セキュリティモードはオンにできないので、その旨をドアロック制御装置１００に返し、セキュリティレベルがレベルＤ以外であるときには、セキュリティモードをオンにできるので、その旨をドアロック制御装置１００に返す。
【０２１５】
ドアロック制御装置１００のＣＰＵ１０１は、監視制御装置３からのセキュリティモードオンの要求に対する返答を解析して、セキュリティモードをオンにできるか否か判別する（ステップＳ１６６）。そして、セキュリティモードがオンにできる旨の返答を監視制御装置３から受けたと判別したときには、ＣＰＵ１０１は、外側スピーカ２３ｅｘから、「セキュリティモードをオンにします」というメッセージを放音させる（ステップＳ１６７）。
【０２１６】
また、ステップＳ１６６で、セキュリティモードがオンにできない旨の返答を監視制御装置３から受けたと判別したときには、ＣＰＵ１０１は、外側スピーカ２３ｅｘから、「在宅者が存在するため、セキュリティモードをオンにはできません」というメッセージを放音させる（ステップＳ１６８）。その後、ステップＳ１３１に戻る。
【０２１７】
また、ステップＳ１６４で、窓が開いていて戸締りが完了していないと判別したときには、ＣＰＵ１０１は、「窓が開いているため、セキュリティモードをオンにすることはできません」という警告メッセージを放音する（ステップＳ１６９）。そして、その後、ステップＳ１３１に戻る。
【０２１８】
［監視制御装置３の動作；図２２〜図２７］
［異常発生時の通知連絡先の設定動作；図２２および図２３］
この実施形態では、監視制御装置３では、異常を検知したときに、予め設定されている通知連絡先に異常発生の通知を行なうようにしている。通知連絡先の設定は、前述したように、この例では、リモートコマンダ５０のメニューボタン５５を押して、テレビ受像機７の画面にメニュー表示して、その中から、通知連絡先設定項目を選んで行なう。
【０２１９】
図２２および図２３は、この実施形態の場合における監視制御装置３への各種設定入力のための処理のフローチャートである。
【０２２０】
先ず、監視制御装置３のＣＰＵ２０１は、リモコン受信部３８の受信信号を監視して、リモートコマンダ５０でボタン操作されたか否か判別する（ステップＳ１７１）。このステップＳ１７１で、ボタン操作されないと判別されたときには、その他の処理を行なう（ステップＳ１７２）。
【０２２１】
ステップＳ１７１で、リモートコマンダ５０でボタン操作がされたと判別したときには、ＣＰＵ２０１は、リモートコマンダ５０で操作されたボタンは、メニューボタン５５であるか否か判別する（ステップＳ１７３）。メニューボタン５５ではないと判別したときには、ＣＰＵ２０１は、操作されたボタンに対応する処理を実行する（ステップＳ１７４）。
【０２２２】
また、ステップＳ１７３で、操作されたボタンがメニューボタン５５であると判別したときには、ＣＰＵ２０１は、テレビ受像機７に電源が投入されていないときには、テレビ受像機７の電源をオンにして（ステップＳ１７５）、メニューの一覧をテレビ受像機７の画面に、前述の伝言記録再生の場合と同様にして表示するようにする（ステップＳ１７６）。
【０２２３】
このメニューの一覧表示に対しては、操作者は、行ないたい設定メニュー項目の選択をリモートコマンダ５０のカーソルキーを用いて行なう。ＣＰＵ２０１は、リモコン受信部３８の受信信号を監視してメニュー項目の選択操作がなされたか否か判別し（ステップＳ１７７）、メニュー項目の選択操作がなされたと判別したときには、例えば反転表示して示す選択中項目を、選択操作に応じて変更する（ステップＳ１７８）。そして、設定項目の決定操作がなされたか否か判別する（ステップＳ１７９）。
【０２２４】
また、ステップＳ１７７で、メニュー項目の選択操作がなされないと判別したときには、ＣＰＵ２０１は、即座にステップＳ１７９に進んで設定項目の決定操作がなされたか否か判別する。そして、ステップＳ１７９で、設定項目の決定操作がなされないと判別したときには、ステップＳ１７７に戻る。
【０２２５】
また、ステップＳ１７９で、設定項目の決定操作がなされたと判別したときには、ＣＰＵ２０１は、選択された設定項目は通知連絡先の設定であるか否か判別し（図２３のステップＳ１８１）、そうではなかったときには、当該選択された設定項目に関する設定用画面をテレビ受像機７の画面に表示して、使用者による設定事項の入力を受け付ける（ステップＳ１８２）。そして、設定事項の入力が終了したか否か判別し（ステップＳ１８３）、終了したと判別したときには、入力された設定事項をメモリに格納し（ステップＳ１８４）、その後、テレビ受像機７の電源をオフとして（ステップＳ１８８）、この設定の処理ルーチンを終了する。
【０２２６】
また、ステップＳ１８１において、選択された項目が通知連絡先の設定であると判別したときには、当該通知連絡先の設定用画面をテレビ受像機７の画面に表示して、通知連絡先の設定入力を受け付ける（ステップＳ１８５）。ここで、受け付けられる通知連絡先の設定入力としては、この例では、携帯電話等の電話番号と、電子メールアドレスとされる。なお、電子メールアドレスは、必ず設定入力する必要はない。
【０２２７】
そして、通知連絡先の設定事項の入力が終了したか否か判別し（ステップＳ１８６）、終了したと判別したときには、入力された通知連絡先の情報を通知連絡設定メモリ２２２に格納し（ステップＳ１８７）、その後、テレビ受像機７の電源をオフとして（ステップＳ１８８）、この設定の処理ルーチンを終了する。
【０２２８】
［監視制御装置３におけるセキュリティ動作；図２４］
上述のようにして、監視制御装置３は、ドアロック制御装置１００からの指示を受けてセキュリティモードをオンにするが、リモートコマンダ５０のセキュリティボタン５１を押すことによってもセキュリティモードをオンにすることができる。そして、監視制御装置３のセキュリティモードオン状態は、リモートコマンダ５０のオフボタン５２を操作すると、オフとすることができる。
【０２２９】
図２４は、リモートコマンダ５０を操作することにより、監視制御装置３のセキュリティモードのオン・オフを制御する動作を説明するためのフローチャートである。
【０２３０】
まず、ＣＰＵ２０１は、リモートコマンダ５０からの遠隔操作信号を監視して、リモートコマンダ５０で操作入力がなされたか否か判別する（ステップＳ１９１）。そして、操作入力がなされたと判別したときには、ＣＰＵ２０１は、操作されたのはセキュリティボタン５１であるか否か判別する（ステップＳ１９２）。
【０２３１】
ステップＳ１９２での判別の結果、セキュリティボタン５１の操作であると判別したときには、ＣＰＵ２０１は、リモコン送信部３９から電源オンのリモコン信号をテレビ受像機７のリモコン受信部に送り、テレビ受像機７をオンにする（ステップＳ１９３）。
【０２３２】
そして、ＣＰＵ２０１は、ＲＯＭ２０３から読み出したデータに基づいて生成した画像情報を、テレビインターフェース２１７を通じてテレビ受像機７に送り、テレビ受像機７の画面にセキュリティモードオンの確認画面を表示する（ステップＳ１９４）。その後、ＣＰＵ２０１は、リモコン送信部３９からテレビ受像機７の電源をオフするリモコン信号を送出して、テレビ受像機７をオフさせる（ステップＳ１９５）。
【０２３３】
そして、ＣＰＵ２０１は、その所定時間、例えば５分経過後、セキュリティモードをオンにして（ステップＳ１９７）、セキュリティ監視動作を実行する（ステップＳ１９８）。ステップＳ１９７における所定時間は、セキュリティボタン５１を操作した使用者が、セキュリティモードオンに設定した後、玄関ドアから退出するまでの時間を考慮した時間とされている。
【０２３４】
ステップＳ１９２において、リモートコマンダ５０で操作されたボタンがセキュリティボタン５１ではないと判別したときには、ＣＰＵ２０１は、操作されたのはオフボタン５２であるか否か判別する（ステップＳ１９９）。このステップＳ１９９でオフボタン５２ではないと判別したときには、ＣＰＵ２０１は、その他のボタンが押されたことによる処理を実行する（ステップＳ２００）。
【０２３５】
ステップＳ１９９での判別の結果、オフボタン５２であると判別したときには、ＣＰＵ２０１は、リモコン送信部３９から電源オンのリモコン信号をテレビ受像機７のリモコン受信部に送り、テレビ受像機７をオンにする（ステップＳ２０１）。
【０２３６】
そして、ＣＰＵ２０１は、ＲＯＭ２０３から読み出したデータに基づいて生成した画像情報を、テレビインターフェース２１７を通じてテレビ受像機７に送り、テレビ受像機７の画面にセキュリティモードオフの確認画面を表示する（ステップＳ２０２）。その後、ＣＰＵ２０１は、リモコン送信部３９からテレビ受像機７の電源をオフするリモコン信号を送出して、テレビ受像機７をオフさせる（ステップＳ２０３）。
【０２３７】
そして、ＣＰＵ２０１は、セキュリティモードをオフにする処理を行なう（ステップＳ２０４）。以上で、図２４の処理ルーチンは終了となる。
【０２３８】
［セキュリティモードオンにおける監視動作］
図２５、図２６および図２７は、監視制御装置３において、セキュリティモードオンとされたときの処理動作である。これは、前述のリモートコマンダ５０でのセキュリティボタン５１の操作時に起動されるもので、このときのセキュリティレベルは、レベルＡの場合である。なお、ドアロック制御装置１００からのセキュリティモードオン指示があったときには、前述したように、在宅者の状況が参酌されてセキュリティレベルが決定され、その決定されたセキュリティレベルでセキュリティモードがオンとされるものである。
【０２３９】
図２３においては、先ず、ＣＰＵ２０１は、ビデオカメラ３１の撮影画像の取り込みを開始する（ステップＳ２１１）。このとき、マイクロホン３４で収音した音声も一緒に取り込みを行なう。前述したように、画像・音声メモリ２０８に設けられるセキュリティモード用の監視情報領域は、リングバッファ形式とされており、この例では、最新の３０秒分の画像・音声情報が常に画像・音声メモリ２０８に格納されるようにされている。監視カメラ１３からの撮影画像についても同様にされている。
【０２４０】
次に、ＣＰＵ２０１は、センサハブ２０７からの窓センサ１６ａ、１６ｂのセンサ出力と、玄関ドア１のドア開閉センサ２７のセンサ出力の監視を開始するように制御する（ステップＳ２１２）。さらに、ＣＰＵ２０１は、火災センサ４およびガスセンサ５のセンサ出力の監視を開始するように制御する（ステップＳ２１３）。監視カメラ１３は、火災センサ４やガスセンサ５のオン・オフに応じてオン・オフする。
【０２４１】
次に、ＣＰＵ２０１は、人感センサ３３のセンサ出力を監視して、侵入者がないかどうかチェックする（ステップＳ２１４）。侵入者なしと判別したときには、窓センサ１６ａ，１６ｂのセンサ出力や、ドア開閉センサ２７のセンサ出力から、異常を検知したか否か判別する（図２６のステップＳ２２１）。
【０２４２】
ステップＳ２２１で、異常を検知しないと判別したときには、ＣＰＵ２０１は、火災センサ４やガスセンサ５のセンサ出力から、異常を検知したか否か判別する（ステップＳ２２２）。ステップＳ２２２で、異常を検知しないと判別したときには、ステップＳ２１４に戻る。
【０２４３】
そして、ステップＳ２１４で、侵入者を人感センサ３３により検知したと判別したときには、ＣＰＵ２０１は、照明機構３２０を制御して、照明３２をオンにする（ステップＳ２１５）。そして、侵入者の検知時点の１０秒前から、検知時点の２０秒後までの３０秒分の画像・音声情報を、画像・音声メモリ２０８から読み出し、１回目の画像として、管理サーバ１０に転送する（ステップＳ２１６）。管理サーバ１０では、この転送されてきた画像・音声情報により、侵入者を認識して、適切な処置を取ることができる。
【０２４４】
次に、ＣＰＵ２０１は、リモコン送信部３９からテレビ受像機７に電源オンのリモコン信号を送り、テレビ受像機７をオンにする（ステップＳ２１７）。そして、ＣＰＵ２０１は、予め用意している威嚇画像および威嚇音声の情報をテレビ受像機７に送り、それら威嚇画像および威嚇音声を出力する（ステップＳ２１８）。この威嚇画像・音声により侵入した賊を威嚇して、退散させることが可能となる。
【０２４５】
次に、ＣＰＵ２０１は、監視制御装置３に予め登録されている連絡先、例えば警備会社、警察署等の他、登録された家人の携帯電話に対して異常検知を電話連絡する（ステップＳ２１９）。すなわち、監視制御装置３には、センサハブ２０７を通じて検知した異常発生の原因に応じた音声メッセージが、図示を省略したメモリに格納されており、通知連絡設定メモリ２２２に記憶されている通知連絡先に電話がかけられ、音声メッセージによる異常発生が通知される。
【０２４６】
次に、ＣＰＵ２０１は、通知連絡設定メモリ２２２を検索して、通知連絡先として電子メールアドレスが設定されているか否か判別し（図２７のステップＳ２４１）、電子メールアドレスが設定されていると判別したときには、設定されている連絡先に検知した異常に応じた文字メッセージからなる電子メールを送る。このとき、この電子メールには、監視カメラによって撮影された異常が検知された場所近傍の撮影画像情報が添付されて送信される（ステップＳ２４２）。
【０２４７】
そして、ＣＰＵ２０１は、その後、数秒間隔で、画像・音声メモリ２０８のリングバッファに格納されている３０秒分の画像・音声情報を繰り返し管理サーバ１０に転送する（ステップＳ２４３）。そして、ＣＰＵ２０１は、人感センサ３３が侵入者を検知しなくなったか否か判別し（ステップＳ２４４）、検知しなくなるまで、３０秒分の画像・音声情報を管理サーバ１０に転送する処理作業を継続する。
【０２４８】
そして、ＣＰＵ２０１は、ステップＳ２４４で人感センサ３３が侵入者を検知しなくなったと判別したときには、３０秒分の画像・音声情報の管理サーバ１０への転送を中止する（ステップＳ２４５）。そして、ステップＳ２１１に戻って、セキュリティ監視を続ける。
【０２４９】
また、ステップＳ２２１において、異常を検知したと判別したときには、ＣＰＵ２０１は、窓センサ６ａ，６ｂやドア開閉センサ２７の近傍に設置されている監視カメラ１３からの検知時点の１０秒前から、検知時点の２０秒後までの３０秒分画像を１回目として、管理サーバ１０に転送する（ステップＳ２２３）。
【０２５０】
そして、ＣＰＵ２０１は、リモコン送信部３９からテレビ受像機７に電源オンのリモコン信号を送り、テレビ受像機７をオンにする（ステップＳ２２４）。そして、ＣＰＵ２０１は、予め用意している威嚇画像および威嚇音声の情報をテレビ受像機７に送り、それら威嚇画像および威嚇音声を出力する（ステップＳ２２５）。この威嚇画像・音声により侵入した賊を威嚇して、退散させることが可能となる。
【０２５１】
次に、ＣＰＵ２０１は、監視制御装置３に予め登録されている連絡先、例えば警備会社、警察署の他、登録された家人の携帯電話に対して異常検知を、前述した音声メッセージにより電話連絡する（ステップＳ２２６）。
【０２５２】
次に、ＣＰＵ２０１は、通知連絡設定メモリ２２２を検索して、通知連絡先として電子メールアドレスが設定されているか否か判別し（ステップＳ２２７）、電子メールアドレスが設定されていると判別したときには、設定されている連絡先に検知した異常に応じた文字メッセージからなる電子メールを送る。このとき、この電子メールには、監視カメラによって撮影された異常が検知された場所近傍の撮影画像情報が添付されて送信される（ステップＳ２２８）。
【０２５３】
そして、ＣＰＵ２０１は、その後、数秒間隔で、画像・音声メモリ２０８のリングバッファに格納されている３０秒分の画像・音声情報を繰り返し管理サーバ１０に転送する（ステップＳ２２９）。そして、ＣＰＵ２０１は、リモートコマンダ５０のオフボタン５２によるオフ指示を待ち（ステップＳ２３０）、オフ指示が有ったときには、セキュリティモードをオフとして、この処理ルーチンを終了する。
【０２５４】
また、ステップＳ２２２で、火災センサ４またはガスセンサ５で異常が検知されたと判別したときには、ＣＰＵ２０１は、監視制御装置３に設定登録されている、例えば警備会社、消防署の他、登録された家人の携帯電話に対して異常検知を、前述した音声メッセージにより電話連絡する（ステップＳ２３１）。
【０２５５】
次に、ＣＰＵ２０１は、通知連絡設定メモリ２２２を検索して、通知連絡先として電子メールアドレスが設定されているか否か判別し（ステップＳ２３２）、電子メールアドレスが設定されていると判別したときには、設定されている連絡先に検知した異常に応じた文字メッセージからなる電子メールを送る。このとき、この電子メールには、監視カメラによって撮影された異常が検知された場所近傍の撮影画像情報が添付されて送信される（ステップＳ２３３）。そして、ステップＳ２３０に進む。
【０２５６】
以上のようにして、この実施形態では、連絡先として電子メールアドレスを設定したときには、電話連絡に加えて電子メールにより、異常検知連絡が送られてくる。したがって、携帯電話端末が電波の届かないところにあったり、電源がオフとされていたりして、電話連絡による異常検知連絡が届かないときでも、電子メールによる異常検知連絡により通知連絡先には確実に届くことになる。
【０２５７】
そして、この実施形態では、電子メールには、監視カメラによる撮影画像情報が添付されるので、その画像情報を見ることにより、通知連絡を受けたユーザは、異常状態の大よその様子を知ることが出来、誤報を検知することができると共に、緊急事態に対して適切な対処ができる。
【０２５８】
さらに、この実施形態では、画像・音声情報を監視制御装置３から受け取った管理サーバ１０は、Ｗｅｂページにそれらの画像・音声情報を載せるようにする。そこで、電子メールに添付された画像情報では、正確な様子が不明であるときには、通知連絡先である携帯電話の持ち主は、管理サーバ１０の当該Ｗｅｂページにアクセスして、どのような異常が発生したかを正確に知ることができ、より適切な対応処置を講じることが可能になる。
【０２５９】
［監視御装置３におけるドアロック制御装置１００からの指示による連携；図２８］
監視制御装置３のＣＰＵ２０１は、ドアロック制御装置１００から受け取った情報や指示に応じて、図２８に示すような連携動作を行なう。なお、この例は、セキュリティレベルの変更は、ＣＰＵ２０１が、ドアロック制御装置１００からの変更指示を受けて行なうのではなく、ドアロック制御装置１００からの個人情報を受け取った結果による在宅状況の変化をチェックして、必要に応じて行なうようにした場合である。
【０２６０】
すなわち、ＣＰＵ２０１は、ドアロック制御装置１００からセキュリティモードオンの指示を受け取ったか否か判別する（ステップＳ２５１）。受け取らないと判別したときには、ＣＰＵ２０１は、その他の処理を行なう（ステップＳ２５２）。
【０２６１】
ステップＳ２５１でセキュリティモードオンの指示を受信したと判別したときには、ＣＰＵ２０１は、家族情報メモリ２０５の記憶情報を参照して、在宅状況をチェックする（ステップＳ２５３）。そして、図８に示したテーブルを参照して、在宅状況に応じたセキュリティレベルを認識し、セキュリティモードオンにすることが可能であるか否か判別する（ステップＳ２５４）。
【０２６２】
ステップＳ２５４で、セキュリティモードオンにすることができないと判別したときには、ＣＰＵ２０１は、その旨をドアロック制御装置１００に通知する（ステップＳ２５５）。
【０２６３】
一方、ステップＳ２５４で、セキュリティモードオンにすることが可能であると判別したときには、セキュリティモードをオンにすることができる旨をドアロック制御装置１００に通知し（ステップＳ２５６）、所定時間経過するのを待つ（ステップＳ２５７）。
【０２６４】
所定時間経過したことを確認したら、ＣＰＵ２０１は、在宅状況に応じたセキュリティレベルでセキュリティモードをオンにする（ステップＳ２５８）。そして、セキュリティ監視動作を開始する（ステップＳ２５９）。
【０２６５】
このセキュリティ監視動作中において、ドアロック制御装置１００から個人ＩＤを含む個人情報を受信したか否か判別し（ステップＳ２６０）、受信しなければステップＳ２５９に戻って、セキュリティ監視動作を継続する。ドアロック制御装置１００から個人情報を受信したと判別したときには、その結果としての在宅状況の変化をチェックし（ステップＳ２６１）、セキュリティレベルの変更が必要であるか判別する（ステップＳ２６２）。
【０２６６】
セキュリティレベルの変更が必要ではないと判別したときには、ＣＰＵ２０１は、ステップＳ２５９に戻って、セキュリティ監視動作を継続する。また、ステップＳ２６２で、セキュリティレベルの変更が必要であると判別したときには、変更の結果、セキュリティモードはオフにすべきものであるか否か判別し（ステップＳ２６３）、そうではないときには、在宅状況に応じてセキュリティレベルを変更する（ステップＳ２６４）。そして、セキュリティレベルを変更した旨をドアロック制御装置１００に通知する（ステップＳ２６５）。
【０２６７】
また、ステップＳ２６３で、セキュリティモードはオフにすべきものであると判別したときには、セキュリティモードをオフにし（ステップＳ２６６）、その旨をドアロック制御装置１００に通知する（ステップＳ２６７）。そして、ステップＳ２５１に戻る。
【０２６８】
以上のようにして、この実施形態によれば、非接触の電子鍵カードを用いて、施錠、開錠を行なうので、鍵穴がなく、いわゆるピッキング対策の防犯効果がある。
【０２６９】
また、ドアロック装置２を、オートロックモードと、逐次ロックモードとで使い分けることができるので、使用者が、自分の使い勝ってに合わせて、いずれのモードにするかを選択することができて、非常に便利である。
【０２７０】
また、内側電子鍵リード／ライト部２１ｉｎを設けて、この内側電子鍵リード／ライト部２１ｉｎによっても、ドアのロック状態を電子鍵カードにより制御することができるので、窓などから侵入した不審者が玄関ドアから退出するのを妨げることができる。
【０２７１】
また、内側電子鍵リード／ライト部２１ｉｎと、外側電子鍵リード／ライト部２１ｅｘとを設けることにより、これらと電子鍵カードとの通信により、家族の入退出の管理をすることが容易である。
【０２７２】
そのため、ドアロック装置２と、監視制御装置３とを組み合わせることにより、効率的なセキュリティ管理をすることができるようになる。そして、セキュリティモードをドアロック時に設定できるようにしているので、従来は、家の中で設定して、所定時間後に、家の外に出なければならないなどのあわただしさを解消することができる。
【０２７３】
また、窓の閉め忘れがあったときには、ドアの開閉時に確認されるので、窓の閉め忘れを防止することができる。
【０２７４】
また、家人の年齢、性別などにより、セキュリティモードのレベルを可変することができるようにしたので、在宅者が弱者である場合にも効果的なセキュリティレベルを設定することができる。また、ドアロックの開錠、施錠に連携して、在宅状況の変化を把握することにより、セキュリティレベルの変更をすることができるというメリットもある。
【０２７５】
［他の実施形態、変形例］
なお、上述の実施形態では、電子鍵カード４０を、外側電子鍵リード／ライト部２１ｅｘに対して、ドアの施錠後、所定時間以内にかざした場合に、セキュリティモードをオンにするようにしたが、ドアロック制御装置１００または監視制御装置３では、玄関ドア１からの入退出を管理しているので、在宅者が無くなったら、自動的にセキュリティレベルＡでセキュリティモードをオンにするようにすることもできる。
【０２７６】
その場合に、ドアロック制御装置１００で、在宅者無しを検出したときに、監視制御装置３にセキュリティモードオンを要求しても良いし、監視制御装置３が、自装置で、在宅者無しを検出したときに、セキュリティモードオンとするようにしても良い。
【０２７７】
なお、この例では、在宅者が玄関ドア１を開錠し、玄関ドア１を開けたときには、それまでにセキュリティモードがオンになっていても、一旦、セキュリティモードは、オフとされるものとしたが、セキュリティモードがオンになっているときに外出者があった場合には、外出者を電子鍵カードとの通信により取得される個人ＩＤにより認識して、監視制御装置３が、帰宅者があった場合と全く同様にして、在宅状況の変化に対応して自動的にセキュリティレベルを変更するようにすることもできる。
【０２７８】
なお、以上の実施形態の説明では、鍵情報としての個人ＩＤの認証は、ドアロック装置で行なうようにしたが、ドアロック装置２は、監視制御装置３に、あるいは監視制御装置３を介して管理サーバ１０に鍵情報を送り、監視制御装置３あるいは管理サーバ１０で、認証作業を行ない、その認証結果を、ドアロック装置２に返す（管理サーバ１０の場合には監視制御装置３を介して返す）ようにしても良い。
【０２７９】
また、開錠者、施錠者の個人ＩＤも監視制御装置３ではなく、管理サーバ１０に送り、管理サーバ１０により、セキュリティ管理をするようにしてもよい。
【０２８０】
また、以上の説明では、外出者か帰宅者かは、ドアロック制御装置１００で判別するようにしたが、監視制御装置３においても、ドアロック制御装置１００でのドアロック制御モードの設定情報を備えているので、ドアロック制御装置１００は、電子鍵カード４０が、内側電子鍵リード／ライト部２１ｉｎまたは外側電子鍵リード／ライト部２１ｅｘにかざされて通信が両者の間で行なわれ、個人ＩＤについての認証がとれたときには、その個人ＩＤと、内側電子鍵リード／ライト部２１ｉｎまたは外側電子鍵リード／ライト部２１ｅｘのいずれと通信したかの情報と、開錠か施錠かの情報とを、監視制御装置３に送り、監視制御装置３が、外出か帰宅かを判別するようにすることもできる。
【０２８１】
なお、電子鍵は、ＩＣカードに限られるものではなく、例えばＩＣカードと同様の制御用ＩＣおよび通信手段を内蔵する携帯電話、携帯情報機器なども電子鍵として使用することができる。
【０２８２】
また、電子鍵は、上述の実施形態のような非接触形式で電子鍵情報の通信を行なうのものに限られるものではなく、接触形式で電子鍵情報の通信を行なうものであっても勿論よい。
【０２８３】
【発明の効果】
以上説明したように、この発明によれば、ドアからの入退出を個人レベルで管理することができ、在宅状況に応じたセキュリティ管理ができるなどの効果がある。
【図面の簡単な説明】
【図１】ドアロックシステムの実施形態を含むセキュリティシステムの概要を説明するための図である。
【図２】ドアロックシステムの実施形態の要部を説明するための図である。
【図３】実施形態のドアロック装置の構成例を示す図である。
【図４】電子鍵装置の一例を示す図である。
【図５】電子鍵装置の一例の内部構成を示すブロック図である。
【図６】セキュリティシステムに用いる監視制御装置の例を示す図である。
【図７】図６の監視制御装置の構成例を示すブロック図である。
【図８】セキュリティモードの内容を説明するための図である。
【図９】セキュリティモードの内容を説明するための図である。
【図１０】図６の監視制御装置の伝言記録および再生機能を説明するためのフローチャートである。
【図１１】ドアロック制御モードの設定動作を説明するためのフローチャートである。
【図１２】ドアロック制御モードの設定動作を説明するためのフローチャートである。
【図１３】ドアロック制御モードの一つの例であるオートロックモードでのドアロック制御動作を説明するためのフローチャートの一部である。
【図１４】ドアロック制御モードの一つの例であるオートロックモードでのドアロック制御動作を説明するためのフローチャートの一部である。
【図１５】ドアロック制御モードの一つの例であるオートロックモードでのドアロック制御動作を説明するためのフローチャートの一部である。
【図１６】ドアロック制御モードの一つの例であるオートロックモードでのドアロック制御動作を説明するためのフローチャートの一部である。
【図１７】ドアロック制御モードの一つの例であるオートロックモードでのドアロック制御動作を説明するためのフローチャートの一部である。
【図１８】ドアロック制御モードの一つの例であるオートロックモードでのドアロック制御動作を説明するためのフローチャートの一部である。
【図１９】ドアロック制御モードの一つの例である逐次ロックモードでのドアロック制御動作を説明するためのフローチャートの一部である。
【図２０】ドアロック制御モードの一つの例である逐次ロックモードでのドアロック制御動作を説明するためのフローチャートの一部である。
【図２１】ドアロック制御モードの一つの例である逐次ロックモードでのドアロック制御動作を説明するためのフローチャートの一部である。
【図２２】監視制御装置における通知連絡先の設定入力動作を説明するためのフローチャートの一部である。
【図２３】監視制御装置における通知連絡先の設定入力動作を説明するためのフローチャートの一部である。
【図２４】監視制御装置のリモートコマンダからの信号の受信処理動作を説明するためのフローチャートである。
【図２５】監視制御装置におけるセキュリティモードオン時の動作を説明するためのフローチャートの一部である。
【図２６】監視制御装置におけるセキュリティモードオン時の動作を説明するためのフローチャートの一部である。
【図２７】監視制御装置におけるセキュリティモードオン時の動作を説明するためのフローチャートの一部である。
【図２８】監視制御装置におけるドアロック装置との連携動作を説明するための図である。
【符号の説明】
１…玄関ドア、２…ドアロック装置、３…監視制御装置、４…火災センサ、５…ガスセンサ、６ａ，６ｂ…窓センサ、７…テレビ受像機、８…電話回線、１０…管理サーバ、１００…ドアロック制御装置、２１ｉｎ…内側電子鍵リード／ライト部、２１ｅｘ…外側電子鍵リード／ライト部、４０…電子鍵カード
【図１】
2004124686.tif 000003
【図２】
2004124686.tif 000004
【図３】
2004124686.tif 000005
【図４】
2004124686.tif 000006
【図５】
2004124686.tif 000007
【図６】
2004124686.tif 000008
【図７】
2004124686.tif 000009
【図８】
2004124686.tif 000010
【図９】
2004124686.tif 000011
【図１０】
2004124686.tif 000012
【図１１】
2004124686.tif 000013
【図１２】
2004124686.tif 000014
【図１３】
2004124686.tif 000015
【図１４】
2004124686.tif 000016
【図１５】
2004124686.tif 000017
【図１６】
2004124686.tif 000018
【図１７】
2004124686.tif 000019
【図１８】
2004124686.tif 000020
【図１９】
2004124686.tif 000021
【図２０】
2004124686.tif 000022
【図２１】
2004124686.tif 000023
【図２２】
2004124686.tif 000024
【図２３】
2004124686.tif 000025
【図２４】
2004124686.tif 000026
【図２５】
2004124686.tif 000027
【図２６】
2004124686.tif 000028
【図２７】
2004124686.tif 000029
【図２８】
2004124686.tif 000030